(57)【要約】液状又は固体状の疎水性有機又は有機珪素材料を含む粒状活性物質と、界面活性剤と、水溶性有機重合体を含むビヒクルであってすすぎ操作において紡織繊維物品の表面に該活性物質をもたらすことのできるものと、を含む水性又は水性−アルコール媒体中で該紡織繊維物品をすすぐための処方物を提供する。【特許請求の範囲】
【請求項１】
水性又は水性−アルコール媒体（ＭＲ）の手段による紡織繊維物品（Ｓ）のすすぎ操作（Ｒ）への使用を目的とした処方物（Ｆ）において、
該処方物（Ｆ）が、
・粒状の形態の少なくとも１種の個体状又は液状有機又は有機珪素材料を含む少なくとも１種の活性物質（Ａ）と、該すすぎ操作（Ｒ）において該活性物質（Ａ）を該紡織繊維物品（Ｓ）の表面にもたらすことのできる少なくとも１種の有機重合体を含むビヒクル（Ｖ）とを含み、且つ、
・該ビヒクル（Ｖ）を含む水性又は水性−アルコール媒体（ＭＡＶ）に該活性物質（Ａ）を分散させてなるｐＨ２〜５の安定な分散体の形態にあり、又は
・該分散体を乾燥させることによって得られる固形物形態にあり、
ここで、該活性物質（Ａ）、該水性又は水性−アルコール媒体（ＭＡＶ）及びビヒクル（Ｖ）の性質は、
・該活性物質（Ａ）が、
・該媒体（ＭＡＶ）に不溶であり、
・該媒体（ＭＡＶ）中で全体的にゼロ電荷又は陽イオン電荷を有し、
・該媒体（ＭＡＶ）中で陽イオン界面活性剤（ＴＡＣ）の手段によって安定化し、ここで、該陽イオン界面活性剤（ＴＡＣ）は、該活性物質（Ａ）を構成する材料が該媒体（ＭＡＶ）中で本質的に陽イオン性であるか又は本質的に潜在的に陽イオン性であるときには非イオン界面活性剤で完全に又は部分的に置き換えられ得るものとし、
・該すすぎ用媒体（ＭＲ）には不溶の状態を維持する
ようなものであり、
・該ビヒクル（Ｖ）が、
・該媒体（ＭＡＶ）及び該すすぎ用媒体（ＭＲ）に可溶であり又はそれらに分散でき、
・該媒体（ＭＡＶ）中で全体的に陽イオン電荷又はゼロのイオン電荷を有し、
・該すすぎ用媒体（ＭＲ）中のすすぎ操作のｐＨで、該すすぎ用媒体（ＭＲ）中で該活性物質（Ａ）を不安定化させるのに十分な量の陰イオン電荷を生じさせることができる
ようなものである
水性又は水性−アルコール媒体（ＭＲ）の手段による紡織繊維物品（Ｓ）のすすぎ操作への使用を目的とした処方物（Ｆ）。
【請求項２】
すすぎ用媒体（ＭＲ）が５．５〜８のｐＨを有することを特徴とする、請求項１に記載の処方物。
【請求項３】
活性物質（Ａ）を構成する材料がオイル又は溶融性固形物であることを特徴とする、請求項１又は２に記載の処方物。
【請求項４】
活性物質（Ａ）の粒子が１０ｎｍ〜２００μｍ、好ましくは１０ｎｍ〜５μｍ、より好ましくは１０ｎｍ〜２０００ｎｍの範囲の平均直径を有することを特徴とする、請求項１〜３のいずれかに記載の処方物。
【請求項５】
活性物質（Ａ）が紡織繊維物品に対して潤滑特性を有する材料を含むことを特徴とする、請求項１〜４のいずれかに記載の処方物。
【請求項６】
活性物質（Ａ）を構成する材料が、
・非イオン性ポリオルガノシロキサン、
・媒体（ＭＡＶ）中で陽イオン性又は潜在的に陽イオン性である少なくとも１個の官能基を有するポリオルガノシロキサン、
・媒体（ＭＡＶ）中で陽イオン性又は潜在的に陽イオン性である少なくとも１個の官能基と、媒体（ＭＡＶ）中では中性で且つすすぎ用媒体（ＭＲ）中では潜在的に陰イオン性である少なくとも１個の官能基とを有する両性ポリオルガノシロキサン、及び
・媒体（ＭＡＶ）中では中性で且つすすぎ用媒体（ＭＲ）中では潜在的に陰イオン性である少なくとも１個の官能基を有するポリオルガノシロキサン
から選択されるポリオルガノシロキサンであることを特徴とする、請求項１〜５のいずれかに記載の処方物。
【請求項７】
活性物質（Ａ）を構成する材料が、好ましくはオイル状のα，ω−ビス（ヒドロキシ）ポリジメチルシロキサン、α，ω−ビス（トリメチル）ポリジメチルシロキサン、ポリメチルフェニルシロキサン又は環状ポリジメチルシロキサンであることを特徴とする、請求項１〜６のいずれかに記載の処方物。
【請求項８】
活性物質（Ａ）を構成する材料がアミノポリオルガノシロキサンであることを特徴とする、請求項１〜６のいずれかに記載の処方物。
【請求項９】
アミノポリオルガノシロキサンが立体障害ピペリジル基を有するポリオルガノシロキサンであることを特徴とする、請求項８に記載の処方物。
【請求項１０】
前記ポリオルガノシロキサンが線状であることを特徴とする、請求項６〜９のいずれかに記載の処方物。
【請求項１１】
活性物質（Ａ）が、
・植物油のようなＣ1〜Ｃ30カルボン酸のモノ−、ジ−若しくはトリグリセリド又はそれらの混合物、
・糖エステル、スクログリセリド、
・Ｃ1〜Ｃ30カルボン酸又はＣ2〜Ｃ30ジカルボン酸のＣ1〜Ｃ30アルコールエステル、
・Ｃ1〜Ｃ30カルボン酸のエチレン又はプロピレングリコールモノエステル又はジエステル、
・プロピレングリコールＣ4〜Ｃ20アルキルエーテル
・ジ（Ｃ8〜Ｃ30アルキル）エーテル、及び
・４〜４０個の炭素原子を含有するアルキル鎖を含む有機ワックス
から選択される材料を含むことを特徴とする、請求項１〜５のいずれかに記載の処方物。
【請求項１２】
活性物質（Ａ）を構成する重合体の質量対界面活性剤（ＴＡＣ）の質量の比が０．０１〜１０、好ましくは０．０１〜１であることを特徴とする、請求項１〜１１のいずれかに記載の処方物。
【請求項１３】
媒体（ＭＡＶ）への分散体の状態で、活性物質（Ａ）を構成する材料の随意の陽イオン性又は潜在的に陽イオン性の単位と陽イオン界面活性剤とによって生じる、該活性物質（Ａ）を構成する該材料の表面での陽イオン電荷は、該（ＭＡＶ）への分散体の状態での該重合体又は共重合体のゼータ電位が０〜＋５０ｍＶ、好ましくは＋１０〜＋４０ｍＶであるようなものであることを特徴とする、請求項１〜１２のいずれかに記載の処方物。
【請求項１４】
活性物質（Ａ）用の分散媒体（ＭＡＶ）が水又は水性−アルコール極性媒体であることを特徴とする、請求項１〜１３のいずれかに記載の処方物。
【請求項１５】
水性−アルコール極性媒体中に存在するアルコールが媒体（ＭＡＶ）の容量の７０％までを占めることを特徴とする、請求項１４に記載の処方物。
【請求項１６】
ビヒクル（Ｖ）を構成する重合体が、２〜８のｐＨを有する水性又は水性−アルコール媒体に可溶であり又はそれに分散でき、しかも媒体（ＭＡＶ）中では中性で且つすすぎ用媒体（ＭＲ）中では潜在的に陰イオン性（ＨＡ）である少なくとも１個の単位を含む任意の重合体であることを特徴とする、請求項１〜１５のいずれかに記載の処方物。
【請求項１７】
ビヒクル（Ｖ）重合体が、媒体（ＭＡＶ）中では陽イオン性若しくは潜在的に陽イオン性（ＨＣ）である少なくとも１個の単位及び／又は少なくとも１個の親水性若しくは疎水性非イオン性単位をさらに含むことを特徴とする、請求項１６に記載の処方物。
【請求項１８】
ビヒクル（Ｖ）を構成する重合体の様々な単位の相対量が、媒体（ＭＡＶ）中での該重合体又は共重合体の全体的な電荷がゼロ又は陽イオン性であるようなものであることを特徴とする、請求項１〜１７のいずれかに記載の処方物。
【請求項１９】
ビヒクル（Ｖ）重合体、界面活性剤（ＴＡＣ）、及び活性物質（Ａ）を構成する材料の前記相対量は、すすぎ操作の過程において、すすぎ用媒体（ＭＲ）中でビヒクル重合体（Ｖ）によって生じる陰イオン電荷の数が、特にすすぎ用媒体（ＭＲ）中での該活性物質（Ａ）の表面電荷による静電引力によって該媒体（ＭＲ）中で該活性物質（Ａ）を不安定化させるのに十分なものであるようなものであることを特徴とする、請求項１〜１８のいずれかに記載の処方物。
【請求項２０】
すすぎ用媒体（ＭＲ）中でビヒクル（Ｖ）重合体によって生じる、活性物質を不安定化させるための陰イオン電荷の数が、媒体（ＭＲ）中での活性物質（Ａ）の陽イオン表面電荷の数に対して少なくとも１％であり、しかも媒体（ＭＲ）中での該活性物質（Ａ）の陽イオン表面電荷の数に対して２００％よりも多くないことを特徴とする、請求項１９に記載の処方物。
【請求項２１】
ビヒクル（Ｖ）を構成する重合体が、エチレン性不飽和単量体、潜在的に陰イオン性の天然多糖類、潜在的に陰イオン性若しくは両性の置換若しくは変性多糖類又はこれらの２種以上の混合物から選択される重合体であることを特徴とする、請求項１〜２０のいずれかに記載の処方物。
【請求項２２】
ビヒクル（Ｖ）を構成する重合体が、
・媒体（ＭＡＶ）中では中性で且つすすぎ用媒体（ＭＲ）中では潜在的に陰イオン性（ＨＡ）である少なくとも１種のα，β−モノエチレン性不飽和単量体、及び
・随意として、媒体（ＭＡＶ）中で陽イオン性又は潜在的に陽イオン性（ＨＣ）である少なくとも１種のα，β−モノエチレン性不飽和単量体、及び
・随意として、親水性又は疎水性（好ましくは親水性）である少なくとも１種の非イオン性α，β−モノエチレン性不飽和単量体
から誘導される重合体であることを特徴とする、請求項１〜２１のいずれかに記載の処方物。
【請求項２３】
ビヒクル（Ｖ）を構成する重合体が、
・媒体（ＭＡＶ）中では中性で且つすすぎ用媒体（ＭＲ）中では潜在的に陰イオン性である少なくとも１種のα，β−モノエチレン性不飽和親水性単量体、及び
・媒体（ＭＡＶ）中で陽イオン性又は潜在的に陽イオン性（ＨＣ）である少なくとも１種のα，β−モノエチレン性不飽和親水性単量体、及び
・随意として、親水性又は疎水性（好ましくは親水性）である少なくとも１種の非イオン性α，β−モノエチレン性不飽和単量体
から誘導されるランダム、ブロック又はグラフト共重合体であることを特徴とする、請求項１〜２２のいずれかに記載の処方物。
【請求項２４】
ビヒクル（Ｖ）を構成する重合体が、１種以上のα，β−モノエチレン性不飽和単量体から誘導され、且つ、５０００ｇ／モル以上、好ましくは２００００〜５０００００ｇ／モルの平均モル質量を有することを特徴とする、請求項１〜２３のいずれかに記載の処方物。
【請求項２５】
ビヒクル（Ｖ）を構成する重合体が、
・ポリアクリル酸、ポリメタクリル酸、ポリアクリル酸アルカリ金属又はポリメタクリル酸アルカリ金属であって、好ましくは１０００００〜１００００００ｇ／モルのモル質量を有するもの、
・アクリル酸／ＤＡＤＭＡＣ共重合体であって、５０／５０〜３０／７０のモル比を有し、好ましくは７００００〜３５００００ｇ／モルのモル質量を有するもの、
・アクリル酸／ＭＡＰＴＡＣ共重合体であって、６０／４０〜３０／７０のモル比を有し、好ましくは９００００〜３０００００ｇ／モルのモル質量を有するもの、
・アクリル酸／ＭＡＰＴＡＣ／メタクリル酸線状Ｃ4〜Ｃ18アルキル三元共重合体であって、０．００５〜１０質量％のメタクリル酸アルキルを含み、６０／４０〜３０／７０の範囲のアクリル酸／ＭＡＰＴＡＣモル比を有し、好ましくは５００００〜２５００００ｇ／モルのモル質量を有するもの、
・アクリル酸／メタクリル酸ジメチルアミノエチル（ＤＭＡＥＭＡ）共重合体であって、６０／４０〜３０／７０のモル比を有し、好ましくは５００００〜３０００００ｇ／モルのモル質量を有するもの
から選択されることを特徴とする、請求項１〜２４のいずれかに記載の処方物。
【請求項２６】
ビヒクル（Ｖ）を構成する重合体が、非イオン性の単糖単位と、媒体（ＭＡＶ）中では中性で且つすすぎ用媒体（ＭＲ）中では潜在的に陰イオン性である単糖単位と（これらの単位は同一又は異なるものである）から形成された潜在的に陰イオン性の天然多糖類であることを特徴とする、請求項１〜２１のいずれかに記載の処方物。
【請求項２７】
潜在的に陰イオン性の天然多糖類が、
・同一又は異なる無水ヘキソース単位を含む主鎖と、
・媒体（ＭＡＶ）中では中性で且つすすぎ用媒体（ＭＲ）中では随意として潜在的に陰イオン性である少なくとも１個の無水ペントース及び／又は無水ヘキソース単位を含む分岐鎖と
から形成された分岐多糖類であることを特徴とする、請求項２６に記載の処方物。
【請求項２８】
潜在的に陰イオン性の天然多糖類がキサンタンガム、スクシノグリカン、ラムサン、ジェランガム又はウェランガムであることを特徴とする、請求項２６又は２７に記載の処方物。
【請求項２９】
潜在的に陰イオン性の天然多糖類が、２０００〜５００００００、好ましくは１００００〜５００００００、より好ましくは１００００〜４００００００ｇ／モルのモル質量を有することを特徴とする、請求項２６〜２８のいずれかに記載の処方物。
【請求項３０】
ビヒクル（Ｖ）を構成する重合体が、置換又は変性多糖類であってその天然骨格が非イオン性単糖単位及び／又は媒体（ＭＡＶ）では中性で且つすすぎ用媒体（ＭＲ）中では潜在的に陰イオン性である単糖単位から形成されるものであり、
ここで、該単糖単位は、同一又は異なり、且つ、
・媒体（ＭＡＶ）中では中性で且つ媒体（ＭＲ）中では潜在的に陰イオン性である少なくとも１の電荷を有する１個以上の基によって、及び
・随意として、媒体（ＭＡＶ）中で陽イオン性又は潜在的に陽イオン性である少なくとも１の電荷を有する１個以上の基によって
置換又は変性されており、しかも、
該潜在的陰イオン電荷を有する基及び陽イオン電荷を有する随意の基の全体による該単糖単位の置換度又は変性度は、該置換又は変性多糖類が水性又は水性−アルコール媒体に可溶であり又はそれに分散でき、且つ、媒体（ＭＡＶ）中で全体的に陽イオン電荷又はゼロ電荷を有するようなものである
ことを特徴とする、請求項１〜２１のいずれかに記載の処方物。
【請求項３１】
置換又は変性多糖類が少なくとも１個の非イオン性変性基又は置換基をさらに含むことを特徴とする、請求項３０に記載の処方物。
【請求項３２】
置換又は変性多糖類が、置換又は変性分岐多糖類であってその天然骨格が
・同一又は異なる無水ヘキソース単位を含む主鎖と、
・媒体（ＭＡＶ）中では中性で且つすすぎ用媒体（ＭＲ）中では随意として潜在的に陰イオン性である少なくとも１個の無水ペントース単位及び／又は無水ヘキソース単位を含む分岐鎖と
から形成されるものであり、
ここで、該多糖類の該無水ヘキソース及び／又は無水ペントース単位は、媒体（ＭＡＶ）中では中性で且つ媒体（ＭＲ）中では潜在的に陰イオン性である少なくとも１の電荷と、随意として媒体（ＭＡＶ）中で陽イオン性又は潜在的に陰イオン性である少なくとも１の電荷とを有する１個以上の基によって置換又は変性されており、イオン性又は潜在的にイオン性である電荷を有する該基の全体による該無水ヘキソース及び／又は無水ペントース単位の置換度又は変性度ＤＳｉが０．０１〜３未満、好ましくは０．０１〜２．５の範囲にあり、しかも媒体（ＭＲ）中での潜在的陰イオン電荷の数対媒体（ＭＡＶ）中での陰イオン電荷又は潜在的陰イオン電荷の数の比が１００／０〜３０／７０、好ましくは１００／０〜５０／５０の範囲にある
ことを特徴とする、請求項３０又は３１に記載の処方物。
【請求項３３】
置換又は変性多糖類が２０００〜５００００００、好ましくは１００００〜５００００００ｇ／モルのモル質量を有することを特徴とする、請求項２９〜３２のいずれかに記載の処方物。
【請求項３４】
置換又は変性多糖類の天然骨格がガラクトマンナンであることを特徴とする、請求項２９〜３３のいずれかに記載の処方物。
【請求項３５】
置換又は変性多糖類の天然骨格が、
・カルボキシメチルガラクトマンナン、特にカルボキシメチルグアー、
・カルボキシメチルヒドロキシプロピルガラクトマンナン、特にカルボキシメチルヒドロキシプロピルグアー、
・塩化カルボキシメチルヒドロキシプロピルトリメチルアンモニウムガラクトマンナン、特に塩化カルボキシメチルヒドロキシプロピルトリメチルアンモニウムグアー、
・塩化カルボキシメチルヒドロキシプロピルヒドロキシプロピルトリメチルアンモニウムガラクトマンナン、特に塩化カルボキシメチルヒドロキシプロピルヒドロキシプロピルトリメチルアンモニウムグアー
から選択されることを特徴とする、請求項２９〜３４のいずれかに記載の処方物。
【請求項３６】
処方物中に存在するビヒクル（Ｖ）の量が、活性物質（Ａ）の１００重量部当たり０．０１〜５重量部、好ましくは０．００１〜４重量部、より具体的には０．０５〜２重量部であることを特徴とする、請求項１〜３５のいずれかに記載の処方物。
【請求項３７】
前記処方物が、その重量の１００部当たり、
・０．０１〜４０、好ましくは０．０５〜３０乾燥重量部の活性物質（Ａ）、
・０．０１〜５０、好ましくは０．０１〜３５乾燥重量部の界面活性剤（ＴＡＣ）、
・０．００１〜４、好ましくは０．０１〜１乾燥重量部のビヒクル（Ｖ）重合体
を含む水性又は水性−アルコール分散体の形態にあることを特徴とする、請求項１〜３６のいずれかに記載の処方物。
【請求項３８】
前記処方物が、陽イオン性軟化剤、光沢剤、色移り防止剤、水溶性の１価の無機塩、染料、芳香剤、消泡剤、酵素及び漂白剤から選択される、１種以上の慣例の陽イオン性すすぎ用処方物構成成分をさらに含むことを特徴とする、請求項１〜３７のいずれかに記載の処方物。
【請求項３９】
すすぎ操作の過程において水性又は水性−アルコール媒体中で紡織繊維物品と請求項１〜３８のいずれかに記載のすすぎ用処方物（Ｆ）とを接触させ、そして該すすぎ済み物品を回収することによって該紡織繊維物品を処理するための方法。
【請求項４０】
紡織繊維物品の防しわ性及び／又は易アイロン掛け性及び／又は防汚性及び／又は耐摩耗性を向上させるための方法であって、すすぎ操作の過程において水性又は水性−アルコール媒体中で該物品と請求項１〜３８のいずれかに記載のすすぎ用処方物（Ｆ）とを接触させ、そして該すすぎ済みの物品を回収することからなる該方法。
【請求項４１】
水性又は水性−アルコール媒体（ＭＲ）の手段による紡織繊維物品（Ｓ）のすすぎ操作（Ｒ）に使用することを目的とした処方物（Ｆ）であって、該処方物（Ｆ）が、粒状の形態の少なくとも１種の液状又は固体状有機又は有機珪素材料を含む少なくとも１種の活性物質（Ａ）を含み、且つ、
・水性若しくは水性−アルコール媒体（ＭＡＶ）に該活性物質（Ａ）を分散させてなるｐＨ２〜５の安定な分散体の形態、又は
・該分散体を乾燥させることによって得られる固形物形態
（ここで、該活性物質（Ａ）及び該水性又はアルコール媒体（ＭＡＶ）の性質は、該活性物質（Ａ）が
・該媒体（ＭＡＶ）に不溶であり、
・該媒体（ＭＡＶ）中で全体的にゼロ電荷又は陽イオン電荷を有し、
・該媒体（ＭＡＶ）中で陽イオン界面活性剤（ＴＡＣ）の手段によって安定化し、ここで、該陽イオン界面活性剤（ＴＡＣ）は、該活性物質（Ａ）を構成する材料が該媒体（ＭＡＶ）中で本質的に陽イオン性であるか又は本質的に潜在的に陽イオン性であるときには非イオン界面活性剤で完全に又は部分的に置き換えられ得るものとし、
・該すすぎ用媒体（ＭＲ）には不溶の状態を維持する
ようなものであるものとする。）
にあるものへの、
少なくとも１種の有機重合体であって、
・該媒体（ＭＡＶ）及び該すすぎ用媒体（ＭＲ）に可溶であり又はそれらに分散でき、
・該媒体（ＭＡＶ）中で全体的に陽イオン電荷又はゼロのイオン電荷を有し、
・該すすぎ用媒体（ＭＲ）中のすすぎ操作のｐＨで、該すすぎ用媒体（ＭＲ）中で該活性物質（Ａ）を不安定化させるのに十分な量の陰イオン電荷を生じさせることのできる
ものの、
該すすぎ操作（Ｒ）において該紡織繊維物品（Ｓ）の表面に該活性物質（Ａ）をもたらすことのできるビヒクル（Ｖ）としての
使用。
【請求項４２】
粒状の形態の少なくとも１種の固体状又は液状有機又は有機珪素材料を含む活性物質（Ａ）を、紡織繊維物品（Ｓ）の表面上に、該活性物質（Ａ）を含む処方物（Ｆ）から得られた水性又は水性−アルコール媒体（ＭＲ）の手段による該物品のすすぎ操作中に付着させるのを向上させるための方法において、
該処方物（Ｆ）が、
・水性又は水性−アルコール媒体（ＭＡＶ）に該活性物質（Ａ）を分散させてなるｐＨ２〜５の安定な分散体の形態、又は
・該分散体を乾燥させることによって得られる固形物の形態
にあり、
ここで、該活性物質（Ａ）及び水性−アルコール媒体（ＭＡＶ）の性質は、該活性物質（Ａ）が、
・該媒体（ＭＡＶ）に不溶であり、
・該媒体（ＭＡＶ）中で全体的にゼロ電荷又は陽イオン電荷を有し、
・該媒体（ＭＡＶ）中で陽イオン界面活性剤（ＴＡＣ）によって安定化し、ここで、該陽イオン界面活性剤（ＴＡＣ）は、該活性物質（Ａ）を構成する材料が該媒体（ＭＡＶ）中で本質的に陽イオン性であるか又は本質的に潜在的に陽イオン性であるときには非イオン界面活性剤で完全に又は部分的に置き換えられ得るものとし、
・該すすぎ用媒体（ＭＲ）には不溶の状態を維持する
ようなものであるものとし、
該付着が、該処方物（Ｆ）に、少なくとも１種の有機重合体であって、
・該媒体（ＭＡＶ）及び該すすぎ用媒体（ＭＲ）に可溶であり又はそれらに分散でき、
・該媒体（ＭＡＶ）中で全体的に陽イオン電荷又はゼロのイオン電荷を有し、
・該すすぎ用媒体（ＭＲ）中のすすぎ操作のｐＨで、該すすぎ用媒体（ＭＲ）中で該活性物質（Ａ）を不安定化させるのに十分な量の陰イオン電荷を生じさせることのできる
ものを含むビヒクル（Ｖ）を添加することによって向上される、
該活性物質（Ａ）を紡織繊維物品（Ｓ）の表面上に付着させるのを向上させるための方法。
【請求項４３】
乾物量により表される処方物の使用量が、すすぎ浴中で０．００１〜５ｇ／Ｌ、好ましくは０．０５〜２ｇ／Ｌであることを特徴とする、請求項４０、４１若しくは４３のいずれかに記載の方法又は請求項４２に記載の使用。
【発明の詳細な説明】
【技術分野】
【０００１】
本発明は、固体状又は液体状の粒状有機材料又は有機珪素材料を含む疎水性活性物質を含む、紡織繊維物品のすすぎを目的とする改善された処方物に関する。
【背景技術】
【０００２】
紡織布のすすぎ用組成物に疎水性有機材料又は有機珪素材料を使用することが知られている。
【０００３】
米国特許第４８１８２４２号には、水中に陽イオンとして分散されたシリコーンオイルと、脂肪酸−ポリアミン縮合物と、陽イオン性皮膜形成剤とを含む、アイロン掛けを容易にする水性すすぎ用処方物が記載されている。
【０００４】
米国特許第４９２３６２２号には、陽イオン界面活性剤と、８〜２２個の炭素原子を含有する鉱油及び植物油のような、処理されるべき編織布に対して潤滑性を示し得るオイルと、脂肪酸エステルとを含む乳化性濃厚物を含むすすぎ用組成物が提案されている。
【特許文献１】米国特許第４８１８２４２号明細書
【特許文献２】米国特許第４９２３６２２号明細書
【発明の開示】
【発明が解決しようとする課題】
【０００５】
本出願人は、不溶性の有機又は有機珪素疎水性活性物質の粒子を含み且つ紡織繊維物品のすすぎを目的とした処方物に、該活性物質のための適切に選択された少量の溶解性ビヒクルを添加することにより、該物品の表面への粒子の付着を有意に改善させ、しかして該物品に、潤滑、手触りの柔らかさ、防しわ性及び／又はアイロン掛けの容易さ（易アイロン掛け性）及び／又は防汚特性並びに耐摩耗性の利益のような顕著な利益を与えることが可能であることを見出した。
【課題を解決するための手段】
【０００６】
本発明は、まず、水性又は水性−アルコール媒体（ＭＲ）の手段による紡織繊維物品（Ｓ）のすすぎ操作（Ｒ）に使用することを目的とする処方物（Ｆ）において、
該処方物（Ｆ）が、
・少なくとも１種の固体状又は液状有機又は有機珪素材料を含む少なくとも１種の粒状の活性物質（Ａ）と、該すすぎ操作（Ｒ）において該活性物質（Ａ）を該紡織繊維物品（Ｓ）の表面にもたらすことのできる少なくとも１種の有機重合体を含むビヒクル（Ｖ）とを含み、且つ、
・該ビヒクル（Ｖ）を含む水性又は水性−アルコール媒体（ＭＡＶ）中に該活性物質（Ａ）を分散してなるｐＨ２〜５の安定な分散体の形態、又は
・該分散体を乾燥させることによって得られた固形物の形態
にあり、
ここで、該活性物質（Ａ）、該水性又は水性−アルコール媒体（ＭＡＶ）及び該ビヒクル（Ｖ）の性質は、
該活性物質（Ａ）が、
・該溶媒（ＭＡＶ）に不溶であり、
・該媒体（ＭＡＶ）中で全体的にゼロ電荷又は陽イオン電荷を有し、
・該媒体（ＭＡＶ）中で陽イオン界面活性剤（ＴＡＣ）の手段によって安定化し、ここで、該陽イオン界面活性剤（ＴＡＣ）は、該活性物質（Ａ）を構成する材料が該媒体（ＭＡＶ）中で本質的に陽イオン性であるか又は本質的に潜在的に陽イオン性であるときには非イオン性界面活性剤で完全に又は部分的に置き換えられ得るものとし、
・該すすぎ用媒体（ＭＲ）に不溶の状態を保持し、
該ビヒクル（Ｖ）が
・該媒体（ＭＡＶ）及びすすぎ用媒体（ＭＲ）中に可溶であり又はそれらに分散でき、
・該媒体（ＭＡＶ）中では全体的に陽イオン電荷又はゼロ電荷を有し、
・該すすぎ用媒体（ＭＲ）中の該すすぎ操作のｐＨで、該すすぎ用媒体（ＭＲ）中で該活性物質（Ａ）を不安定化させるのに十分な量の陰イオン電荷を生じさせることができる
ようなものである、
紡織繊維物品のすすぎ操作に使用することを目的とする処方物を提供する。
【０００７】
本発明に従う処方物は、激しいすすぎ操作としての洗濯機のすすぎ操作を実行するために等しく使用することを目的とする。この操作は、一般に、５．５〜８を範囲とし得るｐＨ（供給循環水のｐＨ）で実施され、またこれは通常周囲温度で行われる。慣用の洗濯のすすぎ操作では、該すすぎ用処方物は、最後のすすぎで使用される。
【０００８】
粒状分散体は、沈降、相分離又は濁りの発生が長期間にわたって観察されない場合には安定であるとみなされる。この分散体は、その粒子が互いに凝集を受けるときに不安定化する。本発明によれば、活性物質（Ａ）は、ビヒクル（Ｖ）を含むすすぎ用媒体（ＭＲ）中で、その分散体中の物体の寸法がビヒクル（Ｖ）の非存在下での同一の物体の寸法の少なくとも２倍であるときに不安定化するとみなされる。
【０００９】
本発明によれば、活性物質（Ａ）は、媒体（ＭＡＶ）中に不溶で、該媒体（ＭＡＶ）中で全体的にゼロ電荷又は陽イオン電荷を有し、しかもすすぎ用媒体（ＭＲ）中に不溶のままである粒状形態の固体状又は液状有機又は有機珪素材料の状態にある。本発明によれば、活性物質（Ａ）を構成する材料は、その重量の１５％以下、好ましくは１０％以下が媒体（ＭＡＶ）及びすすぎ用（ＭＲ）に可溶であるときには不溶であるとみなされる。
【００１０】
活性物質（Ａ）を構成する該材料は、粒状で可溶の状態にあり又は液体の形態にある。好ましくは、このものは、オイル又は溶融性固形物（例えばワックス）の形態にある。該粒子は、１０ｎｍから２００μｍ、好ましくは１０ｎｍ〜５μｍ、より好ましくは１０ｎｍ〜２０００ｎｍの範囲の平均直径を有し得る。該粒子の直径は、光散乱、レーザー回折又は顕微鏡の手段によって周知の態様で決定できる。
【００１１】
活性物質（Ａ）を構成し得る材料の中では、特に、紡織繊維物品に減摩耗性を与えることのできる潤滑作用を有するものが挙げられ、これは、柔らかさ、防しわ性、アイロン掛けの容易さ、耐摩耗性、防汚性などのような利益の提供となって現れ得る。
【発明を実施するための最良の形態】
【００１２】
本発明の第１の具体例によれば、活性物質（Ａ）を構成する該材料は、有機珪素材料である。このものは、特に、線状、環状、分岐又は架橋ポリオルガノシロキサン樹脂、ワックス又はオイルである。該ポリオルガノシロキサンは、好ましくは、１０4〜１０9ｃＰの動力学粘度（２５℃及び１５００Ｐａの応力に対して０．０１Ｈｚの剪断速度で測定される（ＣＳＬ２−５００型のＣａｒｒｉｍｅｄ（商標）で実施される））を有する。本発明によれば、このものは、
・非イオン性ポリオルガノシロキサン、
・媒体（ＭＡＶ）中で陽イオン性又は潜在的に陽イオン性の少なくとも１個の官能基を有するポリオルガノシロキサン、
・媒体（ＭＡＶ）中で陽イオン性又は潜在的に陽イオン性の少なくとも１個の官能基と、該媒体（ＭＡＶ）中では中性で且つすすぎ用媒体（ＭＲ）中では潜在的に陰イオン性である少なくとも１個の官能基とを有する両性ポリオルガノシロキサン、
・該媒体（ＭＡＶ）では中性で且つすすぎ用媒体（ＭＲ）中では潜在的に陰イオン性である少なくとも１個の官能基を有するポリオルガノシロキサン
である。
【００１３】
挙げることのできるポリオルガノシロキサンの例としては、
・次の一般式：
（Ｒ）a（Ｘ）bＳｉ（Ｏ）[4-(a+b)]/2    （Ｉ）
（式中、
・記号Ｒは同一又は異なるものであり、そして１〜４個の炭素原子を有する線状若しくは分岐アルキル炭化水素基、又はアリール基、特にフェニルを表し、
・記号Ｘは同一又は異なるものであり、そしてヒドロキシル基、１〜１２個の炭素原子を有する線状若しくは分岐アルコキシ基又は官能基ＯＣＯＲ'（ここで、Ｒ'は、１〜１２個の炭素原子、好ましくは１個の炭素原子を含有するアルキル基を表す。）を表し、
・ａは０、１、２又は３であり、
・ｂは０、１、２又は３であり、
・ａ＋ｂは０、１、２又は３である。）
の非イオン性オルガノシロキサン単位から形成される線状、環状又は架橋ポリオルガノシロキサン（好ましくは、該ポリオルガノシロキサンは、少なくとも実質的に線状であり、好ましくは線状である。例としては、特に、α，ω−ビス（ヒドロキシ）ポリジメチルシロキサンオイル、α，ω−ビス（トリメチル）ポリジメチルシロキサンオイル、環状ポリジメチルシロキサン及びポリメチルフェニルシロキサンが挙げられる。）、
・１モル当たり、次の一般式：
（Ｒ）a（Ｘ）b（Ｂ）cＳｉ（Ｏ）[4-(a+b+c)]/2    （II）
（式中、
・記号Ｒは同一又は異なるものであり、そして１〜４個の炭素原子を有する線状若しくは分岐の１価のアルキル炭化水素基、又はアリール基、特にフェニルを表し、
・記号Ｘは同一又は異なるものであり、そしてヒドロキシル基、１〜１２個の炭素原子を有する線状若しくは分岐アルコキシ基又は官能基ＯＣＯＲ'（ここで、Ｒ'は１〜１２個の炭素原子、好ましくは１個の炭素原子を含有するアルキル基を表す。）を表し、
・記号Ｂは同一又は異なるものであり、そして３０個までの炭素原子を含有し、１個以上の酸素及び／又は窒素及び／又は硫黄のヘテロ原子によって中断されていてよく、しかも１個以上のエーテル、エステル、チオール、ヒドロキシル、随意として第四化されたアミン又はカルボキシレート官能基を保持してよい脂肪族及び／又は芳香族及び／又は環状炭化水素基を表し、ここで、該記号Ｂは、珪素に好ましくはＳｉ−Ｃ−結合を介して結合しているものとし、
・ａは０、１又は２であり、
・ｂは０、１又は２であり、
・ｃは１又は２であり、
・ａ＋ｂ＋ｃは１、２又は３である。）
の少なくとも１個のイオン性又は非イオン性オルガノシロキサン単位を含む、線状、環状又は架橋ポリオルガノシロキサン
が挙げられる。
【００１４】
式（II）の単位の他に存在するその他のオルガノシロキサン単位は、好ましくは、非イオン性であり、また上記式（Ｉ）のものである。
【００１５】
また、１個以上の強力なスルホネート及び／又はホスホネート型の陰イオン性官能基を有するオルガノシロキサン単位も、式（II）の単位が媒体（ＭＡＶ）中で陽イオン性又は潜在的に陽イオン性であるときに存在し得る。しかしながら、これらのものは、該ポリオルガノシロキサンが該媒体（ＭＡＶ）中で全体的にゼロ電荷又は陽イオン電荷を有するために、限られた量で存在する。
【００１６】
上記の式（II）において記号（Ｂ）に相当する置換基の例としては、
・次式：
−（ＣＨ2）n−（ＯＣ2Ｈ4）m−（ＯＣ3Ｈ6）p−ＯＲ'
（ここで、ｎは２又は３であり、ｍ及びｐはそれぞれ０〜３０であり、Ｒ'は、１〜１２個の炭素原子、好ましくは１〜４個の炭素原子を含有するアルキル基を表す。）
のポリエーテル基、
・次式：
−Ｒ1−Ｎ（Ｒ2）（Ｒ3）
（ここで、
記号Ｒ1は、１個以上の窒素又は酸素原子で置換され又は中断されていてよい２〜６個の炭素原子を含有するアルキレン基を表し、
記号Ｒ2及びＲ3は同一又は異なるものであり、そして、
・Ｈ、
・１〜１２個の炭素原子、好ましくは１〜６個の炭素原子を含有するアルキル又はヒドロキシアルキル基、
・少なくとも１個の窒素及び／又は酸素原子で置換され及び／又は中断されていてよいアミノアルキル基、好ましくは第一アミノアルキル基であって、そのアルキル基が１〜１２個の炭素原子、好ましくは１〜６個の炭素原子を含有するもの、
を表し、ここで、該アミノ基は、随意として、例えば、ハロゲン水素酸又はハロゲン化アルキル若しくはアリールによって第四化されているものとする。）
のような第一、第二、第三又は第四アミノ基（特に、次式：
−（ＣＨ2）3ＮＨ2、−（ＣＨ2）3ＮＨ3+Ｘ-、−（ＣＨ2）3Ｎ（ＣＨ3）2、−（ＣＨ2）3Ｎ+（ＣＨ3）2（Ｃ18Ｈ37）Ｘ-、−（ＣＨ2）3ＮＨＣＨ2ＣＨ2ＮＨ2、−（ＣＨ2）3Ｎ（ＣＨ2ＣＨ2ＯＨ）2、−（ＣＨ2）3Ｎ（ＣＨ2ＣＨ2ＮＨ2）2
のものが挙げられる。好ましくは、アミノ官能基を有するポリオルガノシロキサンは、それらの鎖に、１００個の全珪素原子当たり、０．１〜５０個、好ましくは０．３〜１０個、さらに好ましくは０．５〜５個のアミノ官能化珪素元素を有する。）、
・次式（III）：
【化１】
2005538262.tif 000002
（式中、
Ｒ4は、
・２〜１８個の炭素原子を有する線状又は分岐アルキレン基、
・アルキレン−カルボニル基であってそのアルキレン部分が線状又は分岐であり且つ２〜２０個の炭素原子を含有するもの、
・アルキレン−シクロへキシレン基であって、そのアルキレン部分が線状又は分岐であり２〜１２個の炭素原子を含有し、且つ、そのシクロへキシレン部分がＯＨ基及び随意として１〜４個の炭素原子を有する１又は２個のアルキル基を含有するもの、
・式：−Ｒ7−Ｏ−Ｒ7（式中、基Ｒ7は同一又は異なるものであり、そして１〜１２個の炭素原子を有するアルキレン基を表す。）の基、
・式：−Ｒ7−Ｏ−Ｒ7（式中、基Ｒ7は上記の意味をを有し、しかもこれらのもののうちの一方又は両方は、１個又は２個の−ＯＨ基によって置換されている。）の基、
・式：−Ｒ7−ＣＯＯ−Ｒ7（式中、基Ｒ7は上記の意味を有する。）の基、
・式：−Ｒ8−Ｏ−Ｒ9−Ｏ−ＣＯ−Ｒ8（式中、基Ｒ8及びＲ9は同一又は異なるものであり、そして２〜１２個の炭素原子を有するアルキレン基を表し、そして基Ｒ9はヒドロキシル基で置換されていてよい。）の基
から選択され、
Ｕは、−Ｏ−又は−ＮＲ10−を表し、ここで、Ｒ10は、水素原子、１〜６個の炭素原子を含有する線状又は分岐アルキル基及び次式：
【化２】
2005538262.tif 000003
（式中、Ｒ4は上記と同一の意味を有し、Ｒ5及びＲ6は以下に示される意味を有し、そしてＲ11は、１〜１２個の炭素原子を有する線状又は分岐の２価のアルキレン基を表し、ここで、該原子価結合（Ｒ11の原子価結合）の一方が−ＮＲ10−の原子に結合し、他方のもの（Ｒ4の原子価結合）が珪素原子に結合しているものとする。）
の２価の基から選択される基であり、
基Ｒ5は同一又は異なるものであり、そして１〜３個の炭素原子を有する線状又は分岐アルキル基及びフェニル基から選択され、
基Ｒ6は水素基又は基Ｒ5又はＯ・を表す。）
の立体障害ピペリジル基、又は
・次式（IV）：
【化３】
2005538262.tif 000004
（式中、
・Ｒ'4は、次式：
【化４】
2005538262.tif 000005
（ここで、ｍは２〜２０の数を表す。）
の３価の基及び次式：
【化５】
2005538262.tif 000006
（ここで、ｐは２〜２０の数を表す。）
の３価の基から選択され、
・Ｕ'は、−Ｏ−又はＮＲ12−を表し、ここで、Ｒ12は、水素原子、及び１〜６個の炭素原子を含有する線状又は分岐アルキル基から選択される基であるものとし、
・Ｒ5及びＲ6は、式IIIについて上に与えたのと同一の意味を有する。）
の立体障害ピペリジル基
が挙げられる。
【００１７】
好ましくは、該アミノ官能性ポリオルガノシロキサンは、立体障害ピペリジル官能基を含有するポリオルガノシロキサン、特に、ＥＰ−Ａ−６５９９３０号に記載された方法によって製造され得るものである。
【００１８】
さらに好ましくは、立体障害アミノ官能基を含有する該ポリオルガノシロキサンは、次式（Ｖ）：
【化６】
2005538262.tif 000007
（式中、
（１）記号Ｚは同一又は異なるものであり、そして以下のＲ1及び／又はＢを表し、
（２）記号Ｒ1、Ｒ2及びＲ3は同一及び／又は異なるものであり、そして１〜４個の炭素原子を有する線状又は分岐アルキル基、１〜４個の炭素原子を有する線状又は分岐アルコキシ基、フェニル基から選択される１価の炭化水素基、及び、好ましくは、ヒドロキシル基、エトキシ基、メトキシ基又はメチル基を表し、
（３）記号Ｂは同一及び／又は異なる官能基であり、そして上記のようなものから選択される立体障害ピペリジル官能基を含有する基を表し、
（４）基Ｂを有しない単位ηＳｉの数は、１０〜４５０、好ましくは５０〜２５０であり、基Ｂを有する単位ηＳｉの数は、１〜５、好ましくは１〜３であり、
０≦ｗ≦１０及び８＜ｙ＜４４８である。）
の線状、環状又は３次元ポリオルガノシロキサンである。
【００１９】
さらに好ましくは、該ポリオルガノシロキサンは線状である。
【００２０】
本発明の第２の具体例によれば、活性物質（Ａ）を構成する該材料は有機材料である。例としては、
・植物油（菜種油、ひまし油、ひまわり油、エルカ酸ひまし油、亜麻仁油など）のような、Ｃ1〜Ｃ30カルボン酸のモノ−、ジ−又はトリグリセリド又はそれらの混合物、
・糖エステル、スクログリセリド、
・Ｃ1〜Ｃ30カルボン酸又はＣ2〜Ｃ30ジカルボン酸のＣ1〜Ｃ30アルコールエステル、
・Ｃ1〜Ｃ30カルボン酸のエチレン又はプロピレングリコールモノエステル又はジエステル、
・プロピレングリコールＣ4〜Ｃ20アルキルエーテル、
・ジ（Ｃ8〜Ｃ30アルキル）エーテル、
・４〜４０個の炭素原子を含有するアルキル鎖を含む有機ワックス
が挙げられる。ワックスの中では、
・動物性ワックス（蜜蝋、ラノリン、鯨油）、
・植物性ワックス（カルナウバ蝋、カンデリラ蝋、サトウキビ蝋、ホホバ）、
・ミネラルワックス（モンタン、オゾケライト、ユタワックス）、
・４〜３５個の炭素原子を含有する炭化水素ワックス（鉱油、パラフィン、微晶蝋）、
・ポリオレフィン（ポリエチレン及びポリプロピレン）、ステロン及びカーボワックスのような合成ワックス
が挙げられる。
【００２１】
本発明によれば、活性物質（Ａ）は、界面活性剤（ＴＡＣ）の手段によって媒体（ＭＡＶ）中に安定に分散される。
該界面活性剤（ＴＡＣ）は、該活性物質（Ａ）を構成する材料が該媒体（ＭＡＶ）中で本質的に陽イオン性であるか又は本質的に潜在的に陽イオン性であるときには、非イオン界面活性剤及び／又は陽イオン界面活性剤であることができる。
該界面活性剤（ＴＡＣ）は、該活性物質（Ａ）を構成する材料が荷電されていないか又はゼロ電荷を有するときには、陽イオン界面活性剤又は陽イオン界面活性剤と非イオン界面活性剤との混合物であり、ここで、非イオン界面活性剤の量は、界面活性剤（ＴＡＣ）の全ての重量の７０％以下を占める。
【００２２】
本発明の効果的な実現のためには、該活性物質（Ａ）を構成する重合体の質量対界面活性剤（ＴＡＣ）の質量の比は、０．０１〜１０、好ましくは０．０１〜１である。
【００２３】
（ＭＡＶ）への分散状態で、該活性物質（Ａ）の随意の陽イオン性又は潜在的陽イオン性官能基と該媒体陽イオン性界面活性剤とによって生じる、該活性物質（Ａ）の表面での陽イオン電荷は、（ＭＡＶ）への分散状態にある該活性物質のゼータ電位が０〜＋５０ｍＶ、好ましくは＋１０〜＋４０ｍＶであるようなものである。
【００２４】
陽イオン界面活性剤の中では、特に、次式：
Ｒ1Ｒ2Ｒ3Ｒ4Ｎ+Ｘ-
（式中、
・Ｒ1、Ｒ2及びＲ3は同一又は異なり、Ｈ、又は、１個以上のヒドロキシル官能基で置換されていてよい、４個以下の炭素原子、好ましくは１〜２個の炭素原子を含有するアルキル基を表し、或いは窒素原子Ｎ+と共に少なくとも１個の芳香族環又は複素環を形成してもよく、
・Ｒ4は、Ｃ8〜Ｃ22、好ましくはＣ12〜Ｃ22のアルキル若しくはアルケニル基、アリール基又はベンジル基を表し、
・Ｘ-は、塩化物（例えば、塩化物、臭化物又は沃化物）、スルフェート若しくはアルキルスルフェート（メチルスルフェート）、カルボキシレート（アセテート、プロピオネート若しくはベンゾエート）又はアルキル−若しくはアリールスルホネートのような可溶性陰イオンである。）
の第四アンモニウム塩が挙げられる。
特に、臭化ドデシルトリメチルアンモニウム、臭化テトラデシルトリメチルアンモニウム及び臭化セチルトリメチルアンモニウム、塩化ステアリルピリジニウム、ロディア社が販売するＲｈｏｄａｑｕａｔ（登録商標）ＴＦＲ及びＲｈｏｄａｍｉｎｅ（登録商標）Ｃ１５、塩化セチルトリメチルアンモニウム（Ｃｏｇｎｉｓ社製のＤｅｈｙｑｕａｒｔ  ＡＣＡ及び／又はＡＯＲ）並びに塩化ココビス（２−ヒドロキシエチル）エチルアンモニウム（Ａｋｓｏ  Ｎｏｂｅｌ社製のＥｔｈｏｑｕａｄ  Ｃ１２）が挙げられる。
【００２５】
また、軟化特性を有する他の陽イオン界面活性剤、例えば、
・次式：
Ｒ1'Ｒ2'Ｒ3'Ｒ4'Ｎ+Ｘ-
（式中、
・Ｒ1'及びＲ2'は同一又は異なり、Ｈ、又は、１個以上のヒドロキシル官能基で置換されていてよい、４個以下の炭素原子、好ましくは１又は２個の炭素原子を含有するアルキル基を表し、或いは窒素原子Ｎ+と共に複素環を形成してもよく、
・Ｒ3'及びＲ4'は、Ｃ8〜Ｃ22、好ましくはＣ10〜Ｃ22のアルキル若しくはアルケニル基、アリール基又はベンジル基を表し、
・Ｘ-は、ハロゲン化物（例えば、塩化物、臭化物又は沃化物）、スルフェート若しくはアルキルスルフェート（メチルスルフェート）、カルボキシレート（アセテート、プロピオネート若しくはベンゾエート）又はアルキル−若しくはアリールスルホネートのような陰イオンである。）
の第四アンモニウム塩（特に、次のもの：塩化ジアルキルジメチルアンモニウム、例えば、塩化ジタロウジメチルアンモニウム又はジタロウジメチルアンモニウムメチルスルフェートなど、並びに塩化アルキルベンジルジメチルアンモニウムが挙げられる。）
・Ｃ10〜Ｃ25アルキルイミダゾリニウムメチルスルフェートのようなＣ10〜Ｃ25アルキルイミダゾリニウム塩、
・Ｎ−タロウ−Ｎ，Ｎ'，Ｎ'−トリエタノール−１，３−プロピレンジアミンの二塩化物又はジメチルスルフェート及び二塩化Ｎ−タロウ−Ｎ，Ｎ，Ｎ'，Ｎ'，Ｎ'，−ペンタメチル−１，３−プロピレンジアミンのような置換ポリアミン塩
が挙げられる。
【００２６】
非イオン界面活性剤の中では、
・エトキシル化又はエトキシ−プロポキシル化脂肪アルコール、
・エトキシル化又はエトキシ−プロポキシル化トリグリセリド、
・エトキシル化又はエトキシ−プロポキシル化脂肪酸、
・エトキシル化又はエトキシ−プロポキシル化ソルビタンエステル、
・エトキシル化又はエトキシ−プロポキシル化脂肪アミン、
・エトキシル化又はエトキシ−プロポキシル化ジ（１−フェニルエチル）フェノール、
・エトキシル化又はエトキシ−プロポキシル化トリ（１−フェニルエチル）フェノール、
・エトキシル化又はエトキシ−プロポキシル化アルキルフェノール
のようなポリオキシアルケニル化誘導体が挙げられる。
【００２７】
活性物質（Ａ）用の分散媒体（ＭＡＶ）は、水性又は水性−アルコール極性媒体である。存在し得るアルコールとしては、エタノール、イソプロパノール、プロピレングリコール、ブトキシエタノールなどが挙げられる。これらのアルコールは、媒体（ＭＡＶ）の容量の７０％までを占め得る。優先的には、該媒体（ＭＡＶ）は水である。該媒体は、塩酸、くえん酸、燐酸、安息香酸などのような酸の添加によって２〜５の所望のｐＨにすることができる。
【００２８】
本発明の主題をなすすすぎ用処方物（Ｆ）は、すすぎ操作中に活性物質（Ａ）を紡織繊維物品の表面にもたらすことのできるビヒクル（Ｖ）を含む。
【００２９】
本発明によれば、該ビヒクル（Ｖ）は、
・媒体（ＭＡＶ）及びすすぎ用媒体（ＭＲ）に可溶であり又はそれらに分散できる有機重合体を含み、
・媒体（ＭＡＶ）中で全体的に陽イオン電荷又はゼロのイオン電荷を有し、
・すすぎ用媒体（ＭＲ）中のすすぎ操作のｐＨで、該すすぎ用媒体（ＭＲ）中で活性物質（Ａ）を不安定化させるのに十分な量の陰イオン電荷を生じさせることができる。
【００３０】
ビヒクル（Ｖ）を構成する該有機重合体は、２〜８のｐＨを有する水性又は水性−アルコール媒体に可溶であり又はそれに分散できる任意の重合体であることができ、しかも媒体（ＭＡＶ）中では中性で且つすすぎ用媒体（ＭＲ）中では潜在的に陰イオン性（ＨＡ）である少なくとも１個の単位を含む任意の重合体であることができる。これらのものは、媒体（ＭＡＶ）では陽イオン性若しくは潜在的に陽イオン性（ＨＣ）である少なくとも１個の単位及び／又は少なくとも１個の親水性若しくは疎水性非イオン性単位をさらに含み得る。
【００３１】
用語「分散できる」とは、ビヒクル（Ｖ）が水性又は水性−アルコール媒体中で肉眼で見える沈殿を形成しないことを意味する。
【００３２】
好ましくは、ビヒクル（Ｖ）を構成する重合体は、
・媒体（ＭＡＶ）中では中性で且つすすぎ用媒体（ＭＲ）中では潜在的に陰イオン性（ＨＡ）である少なくとも１個の親水性単位と、
・媒体（ＭＡＶ）中では陽イオン性又は潜在的に陽イオン性（ＨＣ）である少なくとも１個の親水性単位と、
・随意として少なくとも１個の疎水性又は親水性非イオン性単位と
を含む共重合体である。
【００３３】
ビヒクル（Ｖ）を構成する重合体は、随意として陰イオン性単位（その第１のｐＫａは３以下である）を含有するが、これは非常に少量、例えば、該単位の全体に対して５重量％よりもずっと少ない量である。ビヒクル（Ｖ）を構成する重合体の様々な単位の相対量は、媒体（ＭＡＶ）中で、該重合体又は共重合体の全体の電荷がゼロ又は陽イオンであるようなものである。
【００３４】
ビヒクル（Ｖ）の重合体と、陽イオン界面活性剤（ＴＡＣ）と、活性物質（Ａ）を構成する材料との相対量は、すすぎ操作の過程において、該すすぎ用媒体（ＭＲ）中で該ビヒクル重合体（Ｖ）によって生じた陰イオン電荷の数が、特に、該すすぎ媒体（ＭＲ）中での該活性物質（Ａ）の表面電荷による静電引力によって該すすぎ媒体（ＭＲ）中で該活性物質（Ａ）を不安定化させるのに十分なものであるようなものである。
【００３５】
本発明によれば、該活性物質（Ａ）は、ビヒクル（Ｖ）を含むすすぎ用媒体（ＭＲ）中で、該媒体の濁度が、５分以内に、その同一の媒体がビヒクル（Ｖ）の非存在下で有していよう濁度よりも少なくとも５倍大きい値に達するときに、不安定化するとみなされる。ビヒクル（Ｖ）重合体によるすすぎ媒体（ＭＲ）中で生じる、活性物質を不安定化させるための陰イオン電荷の数は、好ましくは、媒体（ＭＲ）中での活性物質（Ａ）の陽イオン表面電荷の数に対して少なくとも１％である。この陰イオン電荷数は、媒体（ＭＲ）中での活性物質（Ａ）の陽イオン表面電荷数に対して２００％までを範囲とし得る。
【００３６】
ビヒクル（Ｖ）を構成し得る重合体の例としては、特に、エチレン性不飽和単量体から誘導される重合体、また中性多糖類及び置換又は変性多糖類並びにエチレン性不飽和単量体から誘導された該重合体と該多糖類との混合物も挙げられる。
【００３７】
本明細書では、用語「重合体」は、単独重合体及び共重合体の両方を意味するように使用する。用語「共重合体」は、問題の重合体が少なくとも２種の異なるタイプの単量体から誘導されるときに使用する。
【００３８】
ビヒクル（Ｖ）を構成し得る重合体の第１の例は、
・媒体（ＭＡＶ）中では中性で且つすすぎ用媒体（ＭＲ）中では潜在的に陰イオン性（ＨＡ）である少なくとも１種のα，β−モノエチレン性不飽和単量体、及び
・随意として、媒体（ＭＡＶ）中では陽イオン性又は潜在的に陽イオン性（ＨＣ）である少なくとも１種のα，β−モノエチレン性不飽和単量体、及び
・随意として、親水性又は疎水性、好ましくは親水性である少なくとも１種の非イオン性α，β−モノエチレン性不飽和単量体、
から誘導される重合体である。
【００３９】
好ましくは、この（Ｖ）は、
・媒体（ＭＡＶ）中では中性で且つすすぎ用媒体（ＭＲ）中では潜在的に陰イオン性（ＨＡ）である少なくとも１種のα，β−モノエチレン性不飽和親水性単量体、及び
・媒体（ＭＡＶ）中では陽イオン性又は潜在的に陽イオン性（ＨＣ）である少なくとも１種のα，β−モノエチレン性不飽和親水性単量体、及び
・随意として、親水性又は疎水性、好ましくは親水性である少なくとも１種の非イオン性α，β−モノエチレン性不飽和単量体
から誘導されるランダム、ブロック又はグラフト共重合体である。
【００４０】
（Ｖ）が誘導される単量体の相対量は、媒体（ＭＡＶ）中で、共重合体（Ｖ）の全体の電荷がゼロ又は陽イオンであるようなものである。
【００４１】
１種以上のα，β−モノエチレン性不飽和単量体から誘導された該重合体又は共重合体の平均モル質量（水性ゲル透過クロマトグラフィー（ＧＰＣ）によって測定され且つポリオキシエチレン当量で表される）は、５０００ｇ／モル以上、一般にほぼ２００００〜５０００００ｇ／モルである。
【００４２】
媒体（ＭＡＶ）中では中性で且つすすぎ用媒体（ＭＲ）中では潜在的に陰イオン性（ＨＡ）である親水性α，β−モノエチレン性不飽和単量体の例としては、
・少なくとも１個のカルボキシル官能基を有する単量体、例えば、α，β−エチレン性不飽和カルボン酸又はその相当する無水物、例えば、アクリル酸、メタクリル酸及びマレイン酸又はそれらの無水物、フマル酸、イタコン酸、Ｎ−メタクリロイルアラニン、Ｎ−アクリロイルグリシン及びそれらの水溶性の塩、
・カルボン酸官能基の先駆物質である単量体、例えば、重合後に加水分解によってカルボン酸官能基を生じさせるアクリル酸ｔ−ブチル
が挙げられる。
【００４３】
媒体（ＭＡＶ）中で陽イオン性又は潜在的に陽イオン性（ＨＣ）である親水性α，β−モノエチレン性不飽和単量体の例としては、
・アクリロイル又はアクリロイルオキシアンモニウム単量体、例えば、トリメチルアンモニウムプロピルメタクリレートクロリド、トリメチルアンモニウムエチルアクリルアミド若しくは−メタクリルアミドクロリド又はブロミド、トリメチルアンモニウムブチルアクリルアミド又は−メタクリルアミドメチルスルフェート、トリメチルアンモニウムプロピルメタクリルアミドメチルスルフェート（ＭＥＳ）、（３−メタクリルアミドプロピル）トリメチルアンモニウムクロリド（ＭＡＰＴＡＣ）、（３−アクリルアミドプロピル）トリメチルアンモニウムクロリド（ＡＰＴＡＣ）、メタクリロイルオキシエチルトリメチルアンモニウムクロリド又はメチルスルフェート及びアクリロイルオキシエチルトリメチルアンモニウムクロリド、
・１−エチル−２−ビニルピリジニウム又は１−エチル−４−ビニルピリジニウムブロミド、クロリド若しくはメチルスルフェート、
・塩化Ｎ，Ｎ−ジメチルジアリルアンモニウム（ＤＡＤＭＡＣ）のようなＮ，Ｎ−ジアルキルジアリルアミン単量体、
・ジメチルアミノプロピルメタクリルアミドクロリド及びＮ−（３−クロル−２−ヒドロキシプロピル）トリメチルアンモニウム（ＤＩＱＵＡＴ）などのようなポリ第四単量体、
・カルボキシベタイン単量体、
・α，β−モノエチレン性不飽和カルボン酸のＮ，Ｎ−（ジアルキルアミノ−ω−アルキル）アミド、例えば、Ｎ，Ｎ−ジメチルアミノメチルアクリルアミド又は−メタクリルアミド、２−（Ｎ，Ｎ−ジメチルアミノ）エチルアクリルアミド又は−メタクリルアミド、３−（Ｎ，Ｎ−ジメチルアミノ）プロピルアクリルアミド又は−メタクリルアミド及び４−（Ｎ，Ｎ−ジメチルアミノ）ブチルアクリルアミド又は−メタクリルアミド、
・α，β−モノエチレン性不飽和アミノエステル、例えば、メタクリル酸２−（ジメチルアミノ）エチル（ＤＭＡＭ）、メタクリル酸３−（ジメチルアミノ）プロピル、メタクリル酸２−（ｔ−ブチルアミノ）エチル、メタクリル酸２−（ジペンチルアミノ）エチル及びメタクリル酸２−（ジエチルアミノ）エチル、
・Ｎ−ビニルホルムアミド、Ｎ−ビニルアセトアミドなどのようなアミン官能基の先駆物質である単量体であって単純な酸又は塩基加水分解によって第一アミン官能基を生じさせるもの
が挙げられる。
【００４４】
荷電していない又はイオン化できない親水性α，β−モノエチレン性不飽和単量体の例としては、
・α，β−エチレン性不飽和酸のヒドロキシアルキルエステル、例えば、アクリル酸ヒドロキシエチル、アクリル酸ヒドロキシプロピル、メタクリル酸ヒドロキシエチル、メタクリル酸ヒドロキシプロピル、モノメタクリル酸グリセリルなど、
・α，β−エチレン性不飽和アミド、例えば、アクリルアミド、Ｎ，Ｎ−ジメチルメタクリルアミド、Ｎ−メチロールアクリルアミドなど、
・ポリエチレンオキシド型の水溶性ポリオキシアルキレンセグメントを有するα，β−エチレン性不飽和単量体、例えば、ポリエチレンオキシドα−メタクリレート（Ｌａｐｏｒｔｅ社製のＢｉｓｏｍｅｒ  Ｓ２０Ｗ、Ｓ１０Ｗなど）又はα，ω−ジメタクリレート、ロディア社製のＳｉｐｏｍｅｒ  ＢＥＭ（ω−ベヘニルポリオキシエチレンメタクリレート）及びロディア社製のＳｉｐｏｍｅｒ  ＳＥＭ−２５（ω−トリスチリルフェニルポリオキシエチレンメタクリレート）など、
・親水性単位又はブロックの先駆物質であるα，β−エチレン性不飽和単量体、例えば、いったん重合されたならば、ビニルアルコール単位又はポリビニルアルコールブロックを生じさせるために加水分解され得る酢酸ビニル、
・ウレイド型のα，β−エチレン性不飽和単量体、及び、特に、２−イミダゾリジノンエチルメタクリルアミド（ロディア社製のＳｉｐｏｍｅｒ  ＷＡＭ  II）
が挙げられる。
【００４５】
疎水性非イオン性α，β−モノエチレン性不飽和単量体の例としては、
・スチレン、ビニルトルエンなどのようなビニル芳香族単量体、
・アクリル酸メチル、アクリル酸エチル、メタクリル酸メチル及びメタクリル酸エチルなどのようなα，β−モノエチレン性不飽和酸のアルキルエステル、
・酢酸ビニル又はアリル、プロピオン酸ビニル又はアリル及びベルサチン酸ビニル又はアリルのような飽和カルボン酸のビニル又はアリルエステル、
・アクリロニトリルなどのようなα，β−モノエチレン性不飽和ニトリル
が挙げられる。
【００４６】
親水性陰イオン性α，β−モノエチレン性不飽和単量体（その第１ｐＫａは３以下である）の例としては、
・少なくとも１個のスルフェート又はスルホネート官能基を有する単量体、例えば、メタクリル酸２−スルホオキシエチル、ビニルベンゼンスルホン酸、アリルスルホン酸、２−アクリルアミド−２−メチルプロパンスルホン酸、アクリル酸スルホエチル又はメタクリル酸スルホエチル、アクリル酸スルホプロピル又はメタクリル酸スルホプロピル及びそれらの水溶性の塩、
・少なくとも１個のホスホネート又はホスフェート官能基を有する単量体、例えば、ビニルホスホン酸など、エチレン性不飽和ホスフェートのエステル、例えば、メタクリル酸ヒドロキシエチルから誘導されるホスフェート（ロディア社製のＥｍｐｉｃｒｙｌ  ６８３５）及びポリオキシアルキレンメタクリレートから誘導されるもの、並びにそれらの水溶性の塩
が挙げられる。
【００４７】
ビヒクル（Ｖ）を構成するエチレン性不飽和単量体から誘導される重合体の例としては、
・好ましくは１０００００〜１００００００ｇ／モルのモル質量を有する、ポリアクリル酸又はポリメタクリル酸、ポリアクリル酸アルカリ金属又はポリメタクリル酸アルカリ金属、
・アクリル酸／ＤＡＤＭＡＣ共重合体であって、５０／５０〜３０／７０のモル比を有し、好ましくは７００００〜３５００００ｇ／モルのモル質量を有するもの、
・アクリル酸／ＭＡＰＴＡＣ共重合体であって、６０／４０〜３０／７０のモル比を有し、好ましくは９００００〜３０００００ｇ／モルのモル質量を有するもの、
・０．００５〜１０質量％のメタクリル酸アルキルを含むアクリル酸／ＭＰＴＡＣ／メタクリル酸線状Ｃ4〜Ｃ18アルキル三元共重合体であって、６０／４０〜３０／７０の範囲のアクリル酸／ＭＡＰＴＡＣモル比を有し、且つ、好ましくは、５００００〜２５００００ｇ／モルのモル質量を有するもの、
・アクリル酸／メタクリル酸ジメチルアミノエチル（ＤＭＡＥＭＡ）共重合体であって、６０／４０〜３０／７０のモル比を有し、好ましくは５００００〜３０００００ｇ／モルのモル質量を有するもの
が挙げられる。
【００４８】
ビヒクル（Ｖ）を構成し得る重合体の第２の例は、潜在的に陰イオン性の天然多糖類及び潜在的に陰イオン性又は両性の置換又は変性多糖類である。
【００４９】
潜在的に陰イオン性の天然多糖類は、非イオン性の単糖単位と、媒体（ＭＡＶ）中では中性で且つすすぎ用媒体（ＭＲ）中では潜在的に陰イオン性である単糖単位と（これらの単位は同一又は異なっていてよい）から形成される。これらのものは線状又は分岐であることができる。
【００５０】
より具体的には、該潜在的に陰イオン性の天然多糖類は、
・同一又は異なる無水ヘキソース単位を含む主鎖と、
・媒体（ＭＡＶ）中では中性で且つ随意としてすすぎ用媒体（ＭＲ）中では潜在的に陰イオン性である少なくとも１個の無水ペントース及び／又は無水ヘキソース単位を含む分岐鎖と
から形成された分岐多糖類である。
【００５１】
この主鎖のヘキソース単位（同一又は異なる）は、Ｄ−グルコース、Ｄ−又はＬ−ガラクトース、Ｄ−マンノース、Ｄ−又はＬ−フコース、Ｌ−ラムノースなどの単位であることができる。
【００５２】
媒体（ＭＡＶ）中では非イオン性又は中性で且つ媒体（ＭＲ）中では潜在的に陰イオン性である分岐鎖のペントース及び／又はヘキソース単位（同一又は異なる）は、Ｄ−キシロースなど、Ｌ−又はＤ−アラビノース、Ｄ−グルコース、Ｄ−又はＬ−ガラクトース、Ｄ−マンノース、Ｄ−又はＬ−フコース、Ｌ−ラムノース、Ｄ−グルクロン酸、Ｄ−ガラクツロン酸、Ｄ−マンヌロン酸、ピルビン酸基で置換されたＤ−マンノースなどの単位であることができる。
【００５３】
媒体（ＭＡＶ）中では中性で且つすすぎ用媒体（ＭＲ）中では潜在的に陰イオン性である天然多糖類の例としては、キサンタンガム（ロディア社製のＲｈｏｄｏｐｏｌ（登録商標）のような）、スクシノグリカン、ラムサン、ジェランガム、ウェランガムなどが挙げられる。
【００５４】
それらのモル質量は、２０００〜５００００００、好ましくは１００００〜５００００００、より好ましくは１００００〜４００００００ｇ／モルの範囲にあることができる。該多糖類のモル質量（重量）Ｍｗは、サイズ排除クロマトグラフィーによって測定できる。
【００５５】
問題の多糖類が置換又は変性されているときには、それらの天然骨格は、非イオン性単糖単位及び／又は媒体（ＭＡＶ）中では中性で且つすすぎ用媒体（ＭＲ）中では潜在的に陰イオン性である単糖単位から形成されるが、ここで、該単糖単位は、同一又は異なり、そして、
・媒体（ＭＡＶ）中では中性で且つ媒体（ＭＲ）中では潜在的に陰イオン性である少なくとも１の電荷を有する１個以上の基によって、及び
・随意として、媒体（ＭＡＶ）中では陽イオン性又は潜在的に陽イオン性である少なくとも１の電荷を有する１個以上の基によって
置換又は変性されており、
潜在的に陰イオン性である電荷を有する基及び陽イオン電荷を有する随意の基の全体による該単糖単位の置換の程度又は変性度は、該置換又は変性多糖類が水性又は水性−アルコール媒体に可溶であり又はそれに分散でき、且つ、媒体（ＭＡＶ）中で全体的に陽イオン電荷又はゼロの電荷を有するようなものである。
【００５６】
該置換又は変性多糖類は、少なくとも１個の非イオン性変性基又は置換基をさらに含むことができる。
【００５７】
使用できる天然骨格の中では、線状又は分岐多糖類が挙げられる。
【００５８】
より具体的には、該多糖類は、置換又は変性分岐多糖類であって、その天然骨格が
・同一又は異なる無水ヘキソース単位を含む主鎖と、
・媒体（ＭＡＶ）中では中性で且つ随意としてすすぎ用媒体（ＭＲ）中では潜在的に陰イオン性である少なくとも１個の無水ペントース及び／又は無水ヘキソース単位を含む分岐鎖と
から形成されるものであり、ここで、
該多糖類の無水ヘキソース及び／又は無水ペントース単位は、媒体（ＭＡＶ）中では中性で且つ媒体（ＭＲ）中では潜在的に陰イオン性である少なくとも１の電荷を有する１個以上の基及び随意として媒体（ＭＡＶ）中で陽イオン性又は潜在的に陽イオン性である少なくとも１の電荷を有する１個以上の基によって置換又は変性されており、
イオン性又は潜在的にイオン性である電荷を有する該基の全体による該無水ヘキソース及び／又は無水ペントース単位の置換度又は変性度Ｄｓｉは、０．０１〜３未満、好ましくは０．０１〜２．５の範囲にあり、
媒体（ＭＲ）中で潜在的に陰イオン性である電荷の数対媒体（ＭＡＶ）中で陽イオン性又は潜在的に陽イオン性である電荷の数の比は、１００／０〜３０／７０、好ましくは１００／０〜５０／５０の範囲にある。
【００５９】
問題の多糖類が両性であるときに、媒体（ＭＲ）中で潜在的に陰イオンである電荷の数対媒体（ＭＡＶ）中で陽イオン性又は潜在的に陽イオン性である電荷の数の比は、９９．５／０．５〜３０／７０、好ましくは９９．５／０．５〜５０／５０である。
【００６０】
該置換又は変性分岐多糖類は、少なくとも１個の非イオン性変性基又は置換基をさらに含むことができる。
【００６１】
該置換又は変性多糖類のモル質量は、２０００〜５００００００、好ましくは１００００〜５００００００ｇ／モルの範囲にあることができる。該多糖類のモル質量（重量）Ｍｗは、サイズ排除クロマトグラフィーによって測定できる。
【００６２】
問題の多糖類が媒体（ＭＲ）中で潜在的に陰イオン性である置換基を有するときには、その測定は、０．１ＭのＬｉＣｌ及び２／１００００の硝酸ナトリウムを含有するｐＨ９〜１０の水中で行われる。
【００６３】
問題の多糖類が両性、即ち、媒体（ＭＲ）中で潜在的に陰イオン性である置換基と、媒体（ＭＡＶ）中で陽イオン性又は潜在的に陽イオン性である基とを有するときに、その測定は、イオン性又は潜在的にイオン性の官能基によるＤＳｉが０．５未満である場合には０．０５Ｍの硝酸ナトリウム及び１０ｐｐｍの高モル質量の塩化ポリアリルジメチルアミン（ＰＤＡＤＭＡ）を含有する０．１Ｍの蟻酸水溶液中で行われる。ＤＳｉが０．５以上であるものについては、０．０２５Ｍの塩酸水溶液が使用される。分子質量（重量）Ｍｗは、光散乱値の手段によって既知の態様で直接達成される。
【００６４】
置換度又は変性度ＤＳｉは、イオン性又は潜在的にイオン性の基によって置換又は変性される無水ヘキソース及び／又は無水ペントースのヒドロキシル官能基の、無水ヘキソース及び／又は無水ペントース１単位当たりの平均数に相当する。
【００６５】
該イオン性又は潜在的にイオン性の基は、糖骨格の炭素原子に直接的に又は−Ｏ−結合を介して結合する。
【００６６】
両性多糖類の場合には、潜在的に陰イオン性の電荷は、陽イオン性又は潜在的に陽イオン性の電荷を有する変性基又は置換基とは異なるものによって与えられ得る。その場合には、該重合体は両性電解質多糖類である。
【００６７】
変性基又は置換基が同時に潜在的に陰イオン性の電荷と陽イオン性又は潜在的に陽イオン性の電荷とを保持するときには、該多糖類はベタイン型である。
【００６８】
該置換又は変性多糖類は、少なくとも１個の変性基又は置換基をさらに示すことができる。該非イオン性基は、糖骨格の炭素原子に直接又は−Ｏ−結合を介して結合する。このような基の存在は、置換基ＭＳのモル数、即ち、反応した該非イオン性置換基の先駆物質の、無水ヘキソース及び／又は無水ペントース１単位当たりの平均モル数で表される。該先駆物質が新たな反応性ヒドロキシル基を形成させるのに適切でない場合には（例えば、アルキル化先駆物質）、イオン性又はイオン化性基及び非イオン性基の全体による置換度又は変性度は、定義上は３未満である。該先駆物質が新たな反応性ヒドロキシル基を形成できる場合には（例えば、ヒドロキシルアルキル化先駆物質）、理論上置換基のモル数ＭＳに制限はない。これは、例えば、６まで、好ましくは２までであることができる。
【００６９】
媒体（ＭＲ）中で潜在的に陰イオン性である基の中では、１個以上のカルボキシレート（カルボン酸）官能基を含有するものが挙げられる。特に、次式：
−［−ＣＨ2−ＣＨ（Ｒ）−Ｏ］x−（ＣＨ2）y−ＣＯＯＨ又は
−［−ＣＨ2−ＣＨ（Ｒ）−Ｏ］x−（ＣＨ2）y−ＣＯＯＭ
（ここで、
Ｒは、水素原子又は１〜４個の炭素原子を含有するアルキル基であり、
ｘは０〜５を範囲とする整数であり、
ｙは０〜５を範囲とする整数であり、
Ｍはアルカリ金属を表す。）
のものが挙げられる。
【００７０】
特に、糖骨格の炭素原子に直接結合するカルボキシル基−ＣＯＯ-Ｎａ+及び糖骨格の炭素原子に−Ｏ−結合を介して結合するカルボキシメチル（ナトリウム塩）基−ＣＨ2−ＣＯＯ-Ｎａ+が挙げられる。
【００７１】
陽イオン性又は潜在的に陽イオン性の基の中では、１個以上のアミノ、アンモニウム、ホスホニウム、ピリジニウムなどの官能基を含有するものが挙げられる。
【００７２】
特に、次式：
・−ＮＨ2
・−［−ＣＨ2−ＣＨ（Ｒ）−Ｏ］x−（ＣＨ2）y−ＣＯＡ−Ｒ'−Ｎ（Ｒ''）2
・−［−ＣＨ2−ＣＨ（Ｒ）−Ｏ］x−（ＣＨ2）y−ＣＯＡ−Ｒ'−Ｎ+（Ｒ'''）3Ｘ-
・−［−ＣＨ2−ＣＨ（Ｒ）−Ｏ］x−（ＣＨ2）y−ＣＯＡ−Ｒ'−ＮＨ−Ｒ''''−Ｎ（Ｒ''）2
・−［−ＣＨ2−ＣＨ（Ｒ）−Ｏ］x−Ｒ'−Ｎ（Ｒ''）2
・−［−ＣＨ2−ＣＨ（Ｒ）−Ｏ］x−Ｒ'−Ｎ+（Ｒ'''）3Ｘ-
・−［−ＣＨ2−ＣＨ（Ｒ）−Ｏ］x−Ｒ'−ＮＨ−Ｒ''''−Ｎ（Ｒ''）2
・−［−ＣＨ2−ＣＨ（Ｒ）−Ｏ］x−Ｙ−Ｒ''
（ここで、 
・Ｒは、水素原子、又は１〜４個の炭素原子を含有するアルキル基であり、
・ｘは０〜５の範囲の整数であり、
・ｙは０〜５の範囲の整数であり、
・Ｒ'は、１個以上のＯＨ置換基を保持していてよい、１〜１２個の炭素原子を含有するアルキレン基であり、
・基Ｒ''は同一又は異なっていてよく、水素原子又は１〜１８個の炭素原子を含有するアルキル基を表し、
・基Ｒ'''は同一又は異なっていてよく、１〜１８個の炭素原子を含有するアルキル基を表し、
・Ｒ''''は、１〜６個の炭素原子を含有する線状、分岐又は環状のアルキレン基であり、
・ＡはＯ又はＮＨを表し、
・Ｙは、５〜２０個の炭素原子及び１個の窒素複素原子を含有する複素環式脂肪族基であり、
・Ｘ-は対イオン、好ましくはハロゲン化物イオン（特に塩化物、臭化物及び沃化物）である。）
の陽イオン性又は潜在的に陽イオン性の基、及び
対イオン、好ましくはハロゲン化物イオン（特に塩化物、臭化物及び沃化物）を有するＮ−アルキルピリジニウムイル基であってそのアルキル基が１〜１８個の炭素原子を含有するもの
が挙げられる。
【００７３】
陽イオン性又は潜在的に陽イオン性の基の中では、特に、次式：
−ＮＨ2
−ＣＨ2−ＣＯＮＨ−（ＣＨ2）2−Ｎ（ＣＨ3）2
−ＣＨ2−ＣＯＯ−（ＣＨ2）2−ＮＨ−（ＣＨ2）2−Ｎ（ＣＨ3）2
−ＣＨ2−ＣＯＮＨ−（ＣＨ2）3−ＮＨ−（ＣＨ2）2−Ｎ（ＣＨ3）2
−ＣＨ2−ＣＯＮＨ−（ＣＨ2）2−ＮＨ−（ＣＨ2）2−Ｎ（ＣＨ3）2
−ＣＨ2−ＣＯＮＨ−（ＣＨ2）2−Ｎ+（ＣＨ3）3Ｃｌ-
−ＣＨ2−ＣＯＮＨ−（ＣＨ2）3−Ｎ+（ＣＨ3）3Ｃｌ-
−（ＣＨ2）2−Ｎ（ＣＨ3）2
−（ＣＨ2）2−ＮＨ−（ＣＨ2）2−Ｎ（ＣＨ3）2
−（ＣＨ2）2−Ｎ+（ＣＨ3）3Ｃｌ-
−塩化２−ヒドロキシプロピルトリメチルアンモニウム−ＣＨ2−ＣＨ（ＯＨ）−ＣＨ2−Ｎ+（ＣＨ3）3Ｃｌ-
のもの、
−塩化物対イオンを有する、次式
【化７】
2005538262.tif 000008
のＮ−メチルピリジニウムイル基のようなピリジニウムイル基、
−次の一般式：
【化８】
2005538262.tif 000009
（式中、ＲはＣＨ3又はＨを表す。）
のＨＡＬＳアミンから誘導されたもののような立体障害アミノ基
が挙げられる。
【００７４】
ベタイン基の中では、より具体的には、次式：
−（ＣＨ2）2−Ｎ+（ＣＨ3）2−（ＣＨ2）2−ＣＯＯ-
の官能基であるエチルジメチルアンモニウムベタイン官能基が挙げられる。
【００７５】
非イオン性基の中では、次式：
・−［−ＣＨ2−ＣＨ（Ｒ）−Ｏ］x−Ｒ1（ここで、
Ｒは水素原子又は１〜４個の炭素原子を含有するアルキル基であり、
ｘは０〜５の範囲の整数であり、
Ｒ1は、
・水素原子、
・１個以上の酸素及び／又は窒素ヘテロ原子で中断されていてよい１〜２２個の炭素原子を含有するアルキル基、６〜１２個の炭素原子を含有するシクロアルキル、アリール又はアリールアルキル、
・基−（ＣＨ2）y−ＣＯＯＲ2
・基−（ＣＨ2）y−ＣＮ
・基−（ＣＨ2）y−ＣＯＮＨＲ2
（ここで、Ｒ2は、１〜２２個の炭素原子を含有するアルキル、アリール又はアリールアルキル基を表す。）
を表す。）、
・−ＣＯ−ＮＨ−Ｒ1
（式中、Ｒ1は上に定義されるようなものである）
の、糖骨格の炭素原子に−Ｏ−結合を介して結合するものが挙げられる。
【００７６】
具体的には、次の基：
・糖骨格の炭素原子にエーテル、エステル、アミド又はウレタン結合を介して結合する、メチル、エチル、プロピル、イソプロピル、ブチル、ヘキシル、オクチル、ドデシル、オクタデシル、フェニル及びベンジル、
・糖骨格の炭素原子に−Ｏ−結合を介して結合する、シアノエチル、ヒドロキシエチル、ヒドロキシプロピル及びヒドロキシブチル
が挙げられる。
【００７７】
天然骨格の主鎖のヘキソース単位（同一又は異なる）は、Ｄ−グルコース、Ｄ−又はＬ−ガラクトース、Ｄ−マンノース、Ｄ−又はＬ−フコース、Ｌ−ラムノースなどの単位であることができる。
【００７８】
媒体（ＭＡＶ）中では非イオン性又は中性で且つ媒体（ＭＲ）中では潜在的に陰イオン性である、該天然骨格の分岐鎖のペントース及び／又はヘキソース単位（同一又は異なる）は、Ｄ−キシロースなど、Ｌ−又はＤ−アラビノース、Ｄ−グルコース、Ｄ−又はＬ−ガラクトース、Ｄ−マンノース、Ｄ−又はＬ−フコース、Ｌ−ラムノース、Ｄ−グルクロン酸、Ｄ−ガラクツロン酸及びＤ−マンヌロン酸の単位であることができる。
【００７９】
挙げることのできる天然骨格の例としては、ガラクトマンナン、ガラクトグルコマンナン、キシログルカン、キサンタンガム、スクレログルカン、スクシノグリカン、ラムサン、ウェランガムなどが挙げられる。
【００８０】
好ましくは、天然骨格はガラクトマンナンである。ガラクトマンナンは、α（１−６）位でＤ−ガラクトピラノースによって置換されたβ（１−４）結合したＤ−マンノピラノースの主鎖を含有する高分子である。これらの中では、グアーガム、カロブビーンガム及びタラガムが挙げられる。特に好ましくは、この天然骨格はグアーガムである。グアーガムは２のマンノース／ガラクトース比を有する。
【００８１】
本発明に従って使用される置換又は変性多糖類は、イオン性又は潜在的にイオン性の基及び随意として非イオン性の基の先駆物質の手段によって天然骨格を官能化させることによって得られ得る。これらの官能化操作は、酸化、置換、縮合及び／又は付加によって既知の方法で実施できる。
【００８２】
本発明に従って使用できる置換又は変性多糖類の例としては、
・カルボキシメチルガラクトマンナン、特にカルボキシメチルグアー、
・カルボキシメチルヒドロキシプロピルガラクトマンナン、特にカルボキシメチルヒドロキシプロピルグアー、
・塩化カルボキシメチルヒドロキシプロピルトリメチルアンモニウムガラクトマンナン、特に塩化カルボキシメチルヒドロキシプロピルトリメチルアンモニウムグアー、
・塩化カルボキシメチルヒドロキシプロピルヒドロキシプロピルトリメチルアンモニウムガラクトマンナン、特に塩化カルボキシメチルヒドロキシプロピルヒドロキシプロピルトリメチルアンモニウムグアー
が挙げられる。
【００８３】
ビヒクル（Ｖ）が多糖類であるときには、該ビヒクル（Ｖ）を含む媒体（ＭＡＶ）に活性物質（Ａ）を分散させてなる分散体は、該多糖類が置換又は変性グアーであるときに３．５〜、特に４．５〜５の範囲のｐＨを有することが好ましい。
【００８４】
本発明の効果的な実現のために、本発明に従う処方物中に存在するビヒクル（Ｖ）の量は、活性物質（Ａ）の１００重量部当たり、０．００１〜５重量部、好ましくは０．０１〜４重量部、より具体的には０．０５〜２重量部である。
【００８５】
本発明に従う処方物（Ｆ）は、
・安定な分散体（液状、クリーム状、ペースト状、ゲル状など）の形態、
・固形物形態（粉末、顆粒、ブロック、タブレットなど）
であることができる。
【００８６】
安定な分散体の形態である処方物（Ｆ）は、
・（１）安定剤として界面活性剤（ＴＡＣ）を使用して活性物質（Ａ）を構成する材料の水性分散体（エマルジョン、ミクロエマルジョン、懸濁液）を調製し、
・（２）随意として、水又は水／アルコール混合物で希釈し（処方物Ｆ中の活性物質Ａの所望の割合に応じて）、そしてそのｐＨを酸（塩酸、くえん酸、燐酸、安息香酸など）を使用して２．５〜５の値に調整し、
・（３）ビヒクル（Ｖ）を得られた分散体に添加し、
・（４）随意として、該ビヒクルの添加前又は添加後に追加量の界面活性剤（ＴＡＣ）を添加し、
・（５）必要ならばそのｐＨを酸を使用して２．５〜５の値に再調整すること
によって得られ得る。
【００８７】
本発明の効果的な実現のためには、水性又は水性−アルコール処方物（Ｆ）は、その重量の１００部当たり、
・０．０１〜４０乾燥重量部、好ましくは０．０５〜３０乾燥重量部の活性物質（Ａ）、
・０．０１〜５０乾燥重量部、好ましくは０．０１〜３５乾燥重量部の陽イオン界面活性剤（ＴＡＣ）、
・０．００１〜４乾燥重量部、好ましくは０．０１〜１乾燥重量部のビヒクル（Ｖ）重合体
を含む。該分散体は、０．０２１〜９０重量％、好ましくは０．０７〜５１重量％のの固形分を有し得る。
【００８８】
固形物の形の処方物（Ｆ）は、
・（１）安定剤として界面活性剤（ＴＡＣ）を使用して活性物質（Ａ）を構成する重合体の水性分散体を調製し、
・（２）そのｐＨを酸（塩酸、くえん酸、燐酸、安息香酸など）を使用して２．５〜５の値に調整し、
・（３）ビヒクル（Ｖ）を得られた分散体に添加し、
・（４）随意として、該ビヒクルの添加前又は添加後に追加量の界面活性剤（ＴＡＣ）を添加し、
・（５）必要ならばそのｐＨを酸を使用して２．５〜５の値に再調整し、
・蒸発／乾燥させること
によって得られ得る。
この蒸発／乾燥工程は、当業者に知られた任意の方法に従って、例えば、凍結乾燥（即ち、凍結、次いで昇華）、又は、好ましくは、噴霧乾燥によって実施できる。噴霧乾燥は、温風流れを有するノズル又はタービンによって実施される噴霧操作と組み合わされた噴霧塔のような任意の知られた設備内で実施できる。その実施条件は、使用される噴霧器の型に依存する。これらの条件は、一般に、乾燥工程において該生成物の全体の温度が少なくとも３０℃で且つ１５０℃を超過しないようなものである。蒸発／乾燥工程は、該工程に付される分散体内に保護剤が存在すること、特に、水溶性又は水分散性の少なくとも１種の糖質、糖類又は多糖類、好ましくは糖質が存在することによって促進され得る。保護剤の量は、活性物質（Ａ）１００重量部当たりほぼ１０〜５０重量部を占め得る。
糖質の中では、グルコース、マンノース、ガラクトース及びリボースのようなアルドース並びにフルクトースのようなケトースが挙げられる。得られた顆粒は、例えば、粉末を与えるように摩砕でき、又はタブレットを与えるように慣用的に圧縮できる。
【００８９】
処方物（Ｆ）は、陽イオン性すすぎ用処方物の通例の他の構成成分をさらに含むことができる。
【００９０】
このものは、特に、少なくとも１種の陽イオン性及び／又は非イオン性軟化剤、例えば、ＷＯ００／６８３５２号に特に挙げられているアクリル酸第四アンモニウム化合物、アルコキシル化ポリアミン、第四ジアミドアンモニウム塩、第四アンモニウムエステル、第四イミダゾリウム塩、第一、第二若しくは第三アミン、アルコキシル化アミン、環状アミン、非イオン性糖誘導体などを含むことができる。これらの陽イオン性軟化剤のうちいくつかの例は、すでに界面活性剤（ＴＡＣ）として前に列挙している。
【００９１】
軟化剤は、該処方物（Ｆ）の濃度に応じて、０．５〜９０％、好ましくは０．５〜４０％の割合で存在し得る。
【００９２】
また、
・光沢剤（０．１〜０．２％）、
・色移り防止剤（ポリビニルピロリドン、ポリビニルオキサゾリドン、ポリメタクリルアミドなど、０．０３〜２５％、好ましくは０．１〜１５％）、
・例えば、１リットル当たり０．０１〜２モルの割合で、水溶性の１価の無機塩、例えば、塩化ナトリウム、カリウム若しくはアンモニウム、硝酸ナトリウム、カリウム若しくはアンモニウム又は硫酸ナトリウム、カリウム若しくはアンモニウム（特に、ビヒクル（Ｖ）が多糖類であるときに）、
・染料、
・芳香剤、
・消泡剤、
・酵素、
・漂白剤
も存在し得る。
【００９３】
本発明の処方物（Ｆ）は、編織繊維物品の洗浄操作（手仕事による又は洗濯機での）に続くすすぎ操作を実施するために使用できる。該物品は、天然及び／又は人工及び／又は合成繊維からなることができる。
【００９４】
該処方物は、綿又は綿を基材とする物品をすすぐのに特に有利である。このものは、すすぎ槽中で、０．００１〜５ｇ／Ｌ、好ましくは０．００５〜２ｇ／Ｌの割合で使用できる（該処方物の該割合は、乾物量により表される）。このすすぎ操作は、周囲温度で実施できる。
【００９５】
このすすぎ操作は、該物品に、非イオン性及び／又は陽イオン性軟化剤によって与えられる柔らかさという従来の利益に加えて、活性物質（Ａ）が該物品の表面上に付着（この付着はビヒクル（Ｖ）が存在することによって促進される）することによって与えられる防しわ性及び／又は易アイロン掛け性、耐摩耗性並びに防汚特性を付与することを可能にする。有利な防汚特性は、特に、処方物（Ｆ）に、シリコーンオイル、特に立体障害ピペリジル官能基を含有するシリコーンオイルを活性物質（Ａ）として使用することによって与えられる。
【００９６】
本発明は、第２に、すすぎ操作の過程において水性又は水性−アルコール媒体中で紡織繊維物品と上記のようなすすぎ用処方物（Ｆ）とを接触させ、次いで該すすぎ済み物品を回収することによって該物品を処理するための方法を提供する。このような処理の操作条件は、すでに上で言及した。
【００９７】
本発明は、第３に、紡織繊維物品の防しわ性及び／又は易アイロン掛け性及び／又は防汚性及び／又は耐摩耗性を向上させるための方法であって、すすぎ操作過程において水性又は水性−アルコール媒体中で該物品と上記のようなすすぎ用処方物（Ｆ）とを接触させ、次いで該すすぎ済み物品を回収することからなるものを提供する。このような方法を実施するための操作条件は、すでに上で言及した。
【００９８】
本発明は、第４に、水性又は水性−アルコール媒体（ＭＲ）の手段による紡織繊維物品（Ｓ）のすすぎ操作（Ｒ）において使用することを目的とした処方物（Ｆ）であって、該処方物（Ｆ）が粒状の形態の少なくとも１種の液状又は固体状有機又は有機珪素材料を含む少なくとも１種の活性物質（Ａ）を含み、且つ、
・該活性物質（Ａ）を水性若しくは水性−アルコール媒体（ＭＡＶ）に分散してなるｐＨ２〜５の安定な分散体の形態にあり、又は
・該分散体を乾燥させることによって得られる固形物形態
（ここで、該活性物質（Ａ）及び該水性又は水性−アルコール媒体（ＭＡＶ）の性質は、該活性物質（Ａ）が、
・該媒体（ＭＡＶ）には不溶であり、
・該媒体（ＭＡＶ）中で全体的にゼロ電荷又は陽イオン電荷を有し、
・該媒体（ＭＡＶ）中で陽イオン界面活性剤（ＴＡＣ）の手段によって安定化し、ここで、該陽イオン界面活性剤（ＴＡＣ）は、活性物質（Ａ）を構成する材料が該媒体（ＭＡＶ）中で本質的に陽イオン性であるか又は本質的に潜在的に陽イオン性であるときには非イオン界面活性剤で完全に又は部分的に置換され得るものとし、
・すすぎ用媒体（ＭＲ）中には不溶の状態を維持する
ようなものである。）
にあるものへの、
少なくとも１種の有機重合体であって、
・該媒体（ＭＡＶ）及び該すすぎ用媒体（ＭＲ）に可溶であり又はそれらに分散でき、
・該媒体（ＭＡＶ）中で全体的に陽イオン電荷又はゼロのイオン電荷を有し、及び
・該すすぎ用媒体（ＭＲ）中のすすぎ操作のｐＨで、該すすぎ用媒体（ＭＲ）中で該活性物質（Ａ）を不安定化させるのに十分な量の陰イオン電荷を生じさせることのできる
ものの、
該すすぎ操作（Ｒ）において該活性物質（Ａ）を該紡織繊維物品（Ｓ）の表面にもたらすことのできるビヒクル（Ｖ）としての
使用を提供する。
【００９９】
この様々な構成成分の性質と相対量、それらの使用条件及び使用すべき操作条件は、すでに上に示した。
【０１００】
本発明は、第５に、粒状の形態の少なくとも１種の固体状又は液状有機又は有機珪素材料を含む活性物質（Ａ）を、紡織繊維物品（Ｓ）の表面に、該活性物質（Ａ）を含む処方物（Ｆ）から得られた水性又は水性−アルコール媒体（ＭＲ）の手段による該物品のすすぎ操作中に付着させるのを向上させるための方法において、
該処方物（Ｆ）が、
・該活性物質（Ａ）を水性又は水性−アルコール媒体（ＭＡＶ）に分散させてなるｐＨ２〜５の安定な分散体の形態、又は
・該分散体を乾燥させることによって得られる固形物の形態
にあり、
ここで、該活性物質（Ａ）及び水性又は該水性−アルコール媒体（ＭＡＶ）の性質は、該活性剤が
・該媒体（ＭＡＶ）に不溶であり、
・該媒体（ＭＡＶ）中で全体的にゼロ電荷又は陽イオン電荷を有し、
・該媒体（ＭＡＶ）中で陽イオン界面活性剤（ＴＡＣ）の手段によって安定化し、ここで、該陽イオン界面活性剤（ＴＡＣ）は、該活性物質（Ａ）を構成する材料が該媒体（ＭＡＶ）中で本質的に陽イオン性であるか又は本質的に潜在的に陽イオン性であるときには非イオン界面活性剤で完全に又は部分的に置き換えられ得るものとし、
・該すすぎ用媒体（ＭＲ）中には不溶の状態を維持する
ようなものであるものとし、
該付着が、該処方物（Ｆ）に、少なくとも１種の有機重合体であって、
・該媒体（ＭＡＶ）及びすすぎ用媒体（ＭＲ）に可溶であり又はそれらに分散でき、
・該媒体（ＭＡＶ）中で全体的に陽イオン電荷又はゼロのイオン電荷を有し、
・該すすぎ用媒体（ＭＲ）中のすすぎ操作のｐＨで、該すすぎ用媒体（ＭＲ）中で該活性物質（Ａ）を不安定化させるのに十分な量の陰イオン電荷を生じさせることのできる
ものを含むビヒクル（Ｖ）を添加することによって促進される
ことを特徴とする、活性物質（Ａ）の紡織繊維物品（Ｓ）表面への付着向上方法を提供することである。
【０１０１】
様々な構成成分の性質と相対量、それらの使用条件及び使用すべき操作条件は、すでに上に示した。
【０１０２】
次の実施例は、例示の目的で与えられる。
【実施例】
【０１０３】
例１：防しわ効果及び易アイロン掛け効果
Ｌｕｂｒｉｒｏｂ（商標）ＴＯＤ１８．８０（ロディア／ノバンス社製）型のひまわり油の３０％を、水中で、３重量％の陽イオン界面活性剤（臭化セチルトリメチルアンモニウム型）の存在下に加熱（５０℃）しつつ微小流動装置で乳化させる（４ｂａｒ、３サイクル）。これは、３０重量％の活性物質の乾燥抽出物を有するエマルジョン（Ｅ）であってそのレーザー回折（ホリバ粒度測定器）によって測定される寸法が２５０ｎｍであるものを与える。この寸法は、該エマルジョンの寸法分布の質量平均寸法である。このエマルジョン（Ｅ）を使用して様々な処方物を製造する。
【０１０４】
処方物Ｉ１
エマルジョン（Ｅ）のｐＨを１Ｎの塩酸溶液を使用して４．０に調整する。得られた分散体は乳状である。
機械的撹拌下で、該分散体の２０ｍＬを、ｐＨが４に調整された１ｍＬの水に注ぐ。これは、外観が元の分散体とはさほど異ならないｐＨ＝４の混合物を与える。この混合物は、長期間にわたって安定であり、長期間にわたっていかなる沈殿も形成せず且つ濁度も変化しない。
【０１０５】
処方物II１
エマルジョン（Ｅ）のｐＨを１Ｎの塩酸溶液で４．０に調整する。得られた分散体は乳状である。
また、１：１モルのアクリル酸−ＤＡＤＭＡＣ共重合体（１０００００ｇ／モルのモル質量を有する）の２．２重量％の水溶液も調製し（ビヒクルＶ）、この溶液を１０重量％の塩酸溶液でｐＨ４．０に調整した。
活性物質（Ａ）の分散体の２０ｍＬを機械的撹拌下で１ｍＬのビヒクル（Ｖ）共重合体溶液に注ぐ。これは、外観が元の分散体とはさほど異ならないｐＨ４の混合物を与える。この混合物は、長期間にわたって安定であり、長期間にわたっていかなる沈殿も形成せず且つ濁度も変化しない。
【０１０６】
処方物Ｉ１及びII１をｐＨ４の水で希釈することによって得られた希釈処方物Ｉ１（ａ）及びII１（ａ）
ホリバ粒度測定器の容器にｐＨが４に調整された水を導入する（ほぼ１００ｍＬ）。処方物Ｉ１の０．１ｍＬを機械的撹拌下で該容器に添加し、そして時間経過による該エマルジョンの寸法変化を監視する。
同一の操作を０．１ｍＬの処方物II１で繰り返す。
結果を表１に与える。
【０１０７】
【表１】
2005538262.tif 000010
【０１０８】
この寸法は、時間経過と共に変化しない。
【０１０９】
処方物Ｉ１及びII１をｐＨ７．２の水で希釈することによって得られた希釈処方物Ｉ１（ｂ）及びII１（ｂ）
粒度測定器の容器にその本来のｐＨ７．２の水を装入する（ほぼ１００ｍＬ）。
処方物Ｉ１の０．１ｍＬを機械的撹拌下でその中に添加し、そして時間経過による該エマルジョンの寸法変化を監視する。
同一の操作を０．１ｍＬの処方物II１で繰り返す。
結果を表２に与える。
【０１１０】
【表２】
2005538262.tif 000011
【０１１１】
（Ｖ）／（Ａ）重量比：ビヒクル（Ｖ）の量／活性物質（Ａ）の量の影響
３０重量％の活性物質を含有するエマルジョン（Ｅ）のｐＨを１Ｎの塩酸溶液で４．０に調整する。得られる分散体は乳状である。
また、１：１モルのアクリル酸−ＤＡＤＭＡＣ共重合体（１０００００ｇ／モルのモル質量を有する）の１１重量％水溶液を調製し（ビヒクルＶ）、該溶液のｐＨを１０重量％の塩酸溶液で４．０に調整した。
活性物質（Ａ）の分散体の２０ｍＬを、機械的撹拌下で、それぞれビヒクル（Ｖ）共重合体溶液の４ｍＬ（処方物１）、０．１ｍＬ（処方物２）及び０．０５ｍＬ（処方物３）に注ぐ。
処方物２及び３は、活性物質（Ａ）の濃度を一定に保持するように、それぞれ３．９ｍＬ及び３．９５ｍＬの水で処方する。
これは、外観が元の分散体とさほど異ならず、（Ｖ）／（Ａ）重量比がそれぞれ７．２／１００、０．１８／１００及び０．０９／１００であるｐＨ４の３種の処方物を与える。
７．２の本来のｐＨの２００ｍＬの水をそれぞれ含有する３個のビーカーを準備する。
０．１ｍＬの処方物を機械的撹拌下でそれぞれのビーカーに添加し、そして該分散体の外観の変化を監視する。
【０１１２】
【表３】
2005538262.tif 000012
【０１１３】
これらの結果は、比（Ｖ）／（Ａ）が活性物質（Ａ）の凝集を生じさせるビヒクル（Ｖ）の容量に影響を及ぼすことを示している。
【０１１４】
洗濯機試験
次の３種のすすぎ用処方物を調製し又は使用する：
・陽イオン界面活性剤（１５％固形分）のみを含有する５０ｍＬの市販の軟化剤処方物ＦＲ、
・１０ｍＬの上記の処方物Ｉ１（ｐＨ＝４）を５０ｍＬの該処方物ＦＲに添加することによって得られた軟化剤処方物ＦＲＩ１（該洗濯機内の１Ｌの水当たり１９６ｍｇの活性物質（Ａ）に相当する）、
・１０ｍＬの上記処方物（ｐＨ４）を５０ｍＬの処方物ＦＲに添加することによって得られた軟化剤処方物ＦＲII１（該洗濯機内の１Ｌの水当たり１９０ｍｇの活性物質に相当する）。
【０１１５】
５０ｃｍ×５０ｃｍの１．５ｋｇの平らな綿織物の試料（それら上塗りは、脱イオン水による９０℃での３回の連続洗浄により予め除去されている）をＭｉｅｌｅ（商標）洗濯機（ミーレ社製）で市販の粉末洗剤処方物を使用して３０℃で洗浄する。
洗浄サイクルの終了時に、これらの試料のうちの一つを予備として置いておき、そして１５リットルの水道水で２３℃ですすぎ、次いで脱水する（このすすぎサイクルは５分間継続する）。他の試料を３つのバッチに分割する。
第１のバッチを１、５０ｍＬの処方物ＦＲが添加された５Ｌの水道水で２３℃で５分にわたってすすぎ、次いで前記予備の試料と同一の条件下で脱水する。
第２のバッチを、６０ｍＬの処方物ＦＲI１が添加された１５Ｌの水道水で２３℃で５分間すすぎ、次いで予備の試料と同一の条件下で脱水する。
第３のバッチを、６０ｍＬの処方物ＦＲII１が添加された１５Ｌの水道水で２３℃で５分間すすぎ、次いで予備の試料と同一の条件下で脱水する。
該すすぎサイクル中に、媒体のｐＨは７に達する。
【０１１６】
脱水後に、物品を乾燥棚の上に置く。
【０１１７】
乾燥後に、乾燥試料の所定領域のデジタルカラー写真を撮り、その後これを２５６レベルのグレー（０〜２５５のグレースケール）に変換させる。
それぞれのグレーレベルに相当するピクセル数をカウントする。
それぞれの得られたヒストグラムについて、グレーレベル分布の標準偏差σを測定する。しわが実在する場合には、グレーレベルの分布は大きい。
σ１は、予備試料（すすぎ用処方物なしですすがれた）に相当する標準偏差に相当する。
σ２は、問題のすすぎ用処方物で得られた標準偏差に相当する。
σ３は、洗浄、すすぎ又は脱水を受けなかった平らな出発試料について得られた標準偏差に相当する。
成果値ＷＲ（しわ復元率）は、次の方程式：
ＷＲ（％）＝［（σ１−σ２）／σ１］ｆ×１００
（ここで、ｆは標準化係数であり、１／［（σ１−σ３）／σ１］に等しい。）
によって与えられる。
０％の値はゼロ利益に相当し、１００％の値は平面に相当する。
このしわ試験の結果は次の通りである。
【０１１８】
【表４】
2005538262.tif 000013
【０１１９】
上の結果は、ビヒクル（Ｖ）の添加が活性物質（Ａ）の織物への付着を向上させることを示しているが、これは活性物質（Ａ）の防しわ効果の改善となって現れている。
【０１２０】
例２：防汚効果
処方物Ｉ２
立体障害ピペリジル官能基を含有する３０重量％のシリコーン（ロディア社製のＲｈｏｄｏｒｓｉｌ（商標）２１６４５）及び３％のエトキシル化脂肪アルコール型非イオン界面活性剤（Ｓｙｍｐｅｒｏｎｉｃ  Ａ７）を含むエマルジョンを使用する。
機械的撹拌下で、２０ｍＬの分散体をｐＨが４．５に調整された１ｍＬの水に注ぐ。
０．１ｇの塩化ナトリウムを添加する（以下の処方物II２とよく比較するため）。
【０１２１】
処方物II２
立体障害ピペリジル官能基を含有する３０重量％のシリコーン（ロディア社製のＲｈｏｄｏｒｓｉｌ（商標）２１６４５）及び３％のエトキシル化脂肪アルコール型非イオン界面活性剤（Ｓｙｍｐｅｒｏｎｉｃ  Ａ７）を含むエマルジョンを使用する。
また、４００００００ｇ／モルのモル質量を有するキサンタンガム（ロディア社製のＲｈｏｄｏｐｏｌ（商標）Ｔ）の１重量％水溶液（ｐＨ４．５）を調製する。
機械的撹拌下で、該分散体の２０ｍＬを１ｍＬのキサンタンガム溶液に注ぐ。最終分散体は４．５のｐＨを有する。
０．１ｇの塩化ナトリウムを添加して該分散体を経時的に安定化させる。
【０１２２】
試験
この試験を、洗剤組成物を処方する者であれば周知のＴｅｒｇｏｔｏｍｅｔｅｒ研究用装置で実施する。この装置は、パルス動作を有するアメリカ型洗濯機の機械的及び熱的効果をシミュレートする。即ち、このものは、３個の洗浄瓶が存在するという長所により、一連の同時試験を非常に時間を節約しつつ実施するのを可能にする。
使用した洗濯洗剤の組成は次の通りである。
【０１２３】
【表５】
2005538262.tif 000014
【０１２４】
次の３種のすすぎ用処方物を試験する：
・陽イオン界面活性剤のみを含有する７ｍＬの市販軟化処方物ＦＲ（１５％固形分）、
・上記処方物Ｉ２の０．３ｍＬを７ｍＬの処方物ＦＲに添加することによって得られた軟化剤処方物ＦＲＩ２、
・上記処方物II２の０．３ｍＬを７ｍＬの処方物ＦＲに添加することによって得られた軟化剤処方物ＦＲII２。
【０１２５】
（ａ）予備洗浄／すすぎ／乾燥：
１０×１０ｃｍで且つ平坦な編織綿から作られた６種の試験片をＴｅｒｇｏｔｏｍｅｔｅｒ内で２３℃で２０分間上記の洗濯用処方物で予備洗浄する。使用される水は、３０°ＨＴの硬度を有する（希釈したＣｏｎｔｒｅｘｅｖｉｌｌｅ（商標）ミネラル・ウォーター）。使用する洗濯洗剤の量は水１Ｌ当たり５ｇである。一瓶当たりの試験片の数は６である。
その後、この平方織物を５分間にわたって３回すすぐ（その都度）（冷水で２回、７ｍＬの市販のすすぎ用処方物ＦＲ又は７．３ｍＬのすすぎ用処方物ＦＲＩ２若しくはＦＲII２のいずれかを添加した冷水で３回目）。
その後、この平方織物を脱水し、次いで干し物掛け上で乾燥させる。
【０１２６】
（ｂ）染色
４滴の汚れたモーター油を上記のように予備洗浄した試験片上に付着させる。
この染みの良好な固定を確実にするために、この汚れた織物を６０℃のオーブン内に１時間にわたって置く。
これらの結果の再現性を有効なものにするために、これらの織物を２４時間以内に洗浄する。
【０１２７】
（ｃ）洗浄／すすぎ／脱水
汚れた試験片を（ａ）に記載したのと同一の条件下で洗浄し、すすぎ、脱水し、そして乾燥させる。
【０１２８】
評価
洗浄の前後の織物の反射率を、Ｄｒ．Ｌａｎｇｅ／Ｌｕｃｉ１００比色計を使用して測定する。防汚剤としての試験重合体の有効性を、次式：
Ｅ（％）＝１００×（Ｒ３−Ｒ２）／（Ｒ１−Ｒ２）
（ここで、
Ｒ１は、汚れていない織物の洗浄前の反射率を表し（工程（ａ））、
Ｒ２は、汚れた織物の洗浄前の反射率を表し（工程（ａ）及び（ｂ））、
Ｒ３は、汚れた織物の洗浄後の反射率を表す（工程（ａ）、（ｂ）及び（ｃ））。）
によって算出される、染みの除去率によって評価する。
それぞれの試験物について、平均染み除去率を算出する。
得られた結果は次の通りである。
【０１２９】
【表６】
2005538262.tif 000015
【０１３０】
キサンタンガムをビヒクルとして使用したときに、汚れたモーター油型の染みの除去の有意な向上が観察される。
【国際調査報告】
2005538262.tif 000016
2005538262.tif 000017
2005538262.tif 000018
2005538262.tif 000019
2005538262.tif 000020
2005538262.tif 000021
2005538262.tif 000022
2005538262.tif 000023
2005538262.tif 000024
2005538262.tif 000025